(57)【要約】【課題】骨盤矯正ガードルにおいて着用して歩くだけで自然と“ビーナスウォーク”ができ、骨盤の歪みを矯正できるとともに、１対の背面交差部材がガードル本体に対してずれることがなく、良好な穿き心地を維持して連続的に骨盤矯正の効果が得られること。【解決手段】骨盤矯正ガードル１１を着用すると、背面で交差した１対の背面交差部材１３，１４によって骨盤が引っ張られ、ヒップが引き締められて正しい姿勢を保つことができ、立ったり座ったりするだけでも骨盤を矯正する効果が得られ、更に着用して歩くだけで自然に良い姿勢で真っ直ぐに歩くことができ、自然に骨盤が内側へ回転して“ビーナスウォーク”をすることができるとともに、縫付けステッチ１５ａ，１５ｂ，１５ｃで背面交差部材１３，１４がガードル本体１２に縫付けられているため、背面交差部材１３，１４がガードル本体１２に対してずれることがない。【選択図】図２
2011038194.tif 000002
【特許請求の範囲】
【請求項１】
伸縮性を有する生地からなるガードル本体の背面部分に、該背面部分で交差して、その先端部分が上方へ伸びて縫付けられた、及び／またはその後端部分が下方へ伸びて縫付けられた、伸縮性及び弾力性を有する生地からなる１対の背面交差部材を設けた骨盤矯正ガードルであって、
前記先端部分及び／または前記後端部分は、前記ガードル本体の前面両脇部分または前面左右部分または前中心近傍または前中心まで伸びて、前記１対の背面交差部材は、交差する箇所及び該交差する箇所の左右の箇所の３箇所において、前記ガードル本体の背面部分に縫付けられたことを特徴とする骨盤矯正ガードル。
【請求項２】
前記ガードル本体の背面部分の股下から上がった部分に幅が前記ガードル本体の背面部分の幅一杯または更に前記ガードル本体の前面両脇部分まで届く開口部を設けて、該開口部を塞いで伸縮性を有する生地が縫付けられたことを特徴とする請求項１に記載の骨盤矯正ガードル。
【請求項３】
前記１対の背面交差部材は、前記交差する箇所においては上下方向に沿ったステッチによって、前記交差する箇所の左右の箇所においては左右方向に沿ったステッチによって、それぞれ縫付けられたことを特徴とする請求項１または請求項２に記載の骨盤矯正ガードル。
【請求項４】
前記ステッチの長さは、１ｃｍ〜４ｃｍの範囲内であることを特徴とする請求項３に記載の骨盤矯正ガードル。
【請求項５】
前記１対の背面交差部材の先端部分が縫付けられる前記ガードルの前面左右部分は左右の大転子が当接する部分またはその近傍であることを特徴とする請求項１乃至請求項４のいずれか１つに記載の骨盤矯正ガードル。
【請求項６】
前記１対の背面交差部材の先端部分及び／または後端部分が、前記ガードル本体の前中心までまたは前中心近傍まで伸びて、前中心までまたは前中心近傍までの全長に亘ってまたは間隔をおいて縫付けられたことを特徴とする請求項１乃至請求項５のいずれか１つに記載の骨盤矯正ガードル。
【請求項７】
前記１対の背面交差部材の先端部分及び／または後端部分が、Ｒ形状を有することを特徴とする請求項１乃至請求項６のいずれか１つに記載の骨盤矯正ガードル。
【発明の詳細な説明】
【技術分野】
【０００１】
本発明は、ズボン、スカート等の衣服の下に、または単独で着用して生活するだけで骨盤の歪みを矯正して正常な骨盤形状を回復させるとともに、骨盤の歪みに起因する種々の症状を改善して健康な肉体と美しいプロポーションを得ることができる骨盤矯正ガードルに関するものであり、衣服の下に着用することにより衣服全般に適用できるものである。
【背景技術】
【０００２】
現代人は歩くときも、椅子に座るときも、また畳の上に正座するときも姿勢が悪い人が多いため、骨盤が歪んでいる人が多く、そのためプロポーションが悪くなるだけでなく、健康にも支障をきたしている場合がある。骨盤の具体的な構造について、図１を参照して説明する。図１は、骨盤とその周辺の骨を正面から見て示す概略図である。
【０００３】
図１に示されるように、骨盤１は、「仙骨」２・「寛骨」３・「尾骨」４という三つの骨によって構成されており、腰椎８から続く逆三角形の骨が「仙骨」２、その両側の蝶の羽のような形状の腸骨５とそこから続く坐骨６と恥骨７をまとめて「寛骨」３、更に仙骨２の先端にあるのが「尾骨」４である。骨盤１は仙骨２部分で背骨９に直結し、寛骨３の下部で両足の骨１０（大転子１０ａ）へとつながっている。
【０００４】
通常、骨と骨は関節によってつながっているが、骨盤１を形成する三つの骨２，３，４は周囲の筋肉と靭帯によって支えられていて、唯一の関節は仙骨２と腸骨５とをつなぐ仙腸関節のみであり、この関節がずれたり開いたりしてそのまま固まってしまう結果、骨盤１が歪む。骨盤１が歪めば、当然それを包む筋肉にも影響が出て、お尻の中で骨盤１が横に広がったり歪んだりする結果、お尻が横に広がったり垂れてしまったりする（非特許文献１：２２頁〜２３頁）。
【０００５】
これに対して、非特許文献１の４４頁〜４５頁においては、骨盤１の歪みを直す基本の体操として、ゴムのチューブを大転子１０ａの位置に当ててお尻で交差させ、骨盤１の一番出っ張った部分へ巻いて体の前で結んで、腰を大きく左右に回す体操を推奨している。また、非特許文献２の８０頁〜８３頁においては、骨盤１の歪みを直す方法として骨盤１を動かして歩く“ビーナスウォーク”という、より効果的な歩き方を提唱している。この歩き方をマスターして続けることによって、骨盤１の歪みを矯正することができ、骨盤１の歪みに起因する内臓の下垂による不調や血行不良も解消されて、種々の不快な症状も改善されるとしている。
【０００６】
しかし、非特許文献１において推奨されている腰を回す体操等の体操だけでは、なかなか骨盤の歪みを矯正することができない。また、非特許文献２において提唱されている“ビーナスウォーク”は骨盤の歪みを矯正することはできるが、骨盤を内側にねじりながら歩かなければならず、この際に肩や首など上半身は動かさない等意識しなければならないポイントが多過ぎて、この歩き方をマスターするのは非常に困難である。そこで、本発明者は、ズボンやスカート等の下に、または単独で着用して歩くだけで特に意識しなくても自然と“ビーナスウォーク”をすることができ、骨盤の歪みを矯正することができる骨盤矯正ガードルの発明をし、特許文献１において開示している。
【先行技術文献】
【非特許文献】
【０００７】
【非特許文献１】「新骨盤ダイエット」著者・芝崎義夫、出版社・高橋書店、出版年月日・平成１５年７月１０日
【非特許文献２】「骨盤スリミング」著者・立花みどり、出版社・日本文芸社、出版年月日・平成１４年１０月２５日
【特許文献】
【０００８】
【特許文献１】特開２００６−１９２２６０号公報
【発明の概要】
【発明が解決しようとする課題】
【０００９】
しかしながら、特許文献１に記載された骨盤矯正ガードルにおいては、１対の背面交差部材が互いの自由な動きを妨げないように、互いにスライド自在に取り付けられており、歩行したり座ったり立ち上がったりする際に、１対の背面交差部材の一方または両方がガードル本体に対してずれることから、その度に背面交差部材を適切な位置に戻さなければならず、取扱いが煩雑であるという問題点があった。
【００１０】
そこで、本発明は、かかる課題を解決すべくなされたものであって、ズボンやスカート等の下に、または単独で着用して歩くだけで特に意識しなくても自然と“ビーナスウォーク”をすることができ、骨盤の歪みを矯正することができるとともに、１対の背面交差部材がガードル本体に対してずれることがなく、良好な穿き心地を維持して連続的に骨盤矯正の効果を得ることができる骨盤矯正ガードルの提供を目的とするものである。
【課題を解決するための手段】
【００１１】
請求項１の発明に係る骨盤矯正ガードルは、伸縮性を有する生地からなるガードル本体の背面部分に、該背面部分で交差して、その先端部分が上方へ伸びて縫付けられた、及び／またはその後端部分が下方へ伸びて縫付けられた、伸縮性及び弾力性を有する生地からなる１対の背面交差部材を設けた骨盤矯正ガードルであって、前記先端部分及び／または前記後端部分は、前記ガードル本体の前面両脇部分または前面左右部分または前中心近傍または前中心まで伸びて、前記１対の背面交差部材は、交差する箇所及び該交差する箇所の左右の箇所の３箇所において、前記ガードル本体の背面部分に縫付けられたものである。
【００１２】
ここで、「伸縮性を有する生地」としては、具体的にはサテンネット生地、パワーネット生地、ストレッチサテン生地、スパンレックス生地、等がある。また、「伸縮性及び弾力性を有する生地」としては、具体的にはパワーネット生地、サテンネット生地、ストレッチサテン生地、等がある。
【００１３】
請求項２の発明に係る骨盤矯正ガードルは、請求項１の構成において、前記ガードル本体の背面部分の股下から上がった部分に幅が前記ガードル本体の背面部分の幅一杯または更に前記ガードル本体の前面部分の両脇まで届く開口部を設けて、該開口部を塞いで伸縮性を有する生地が縫付けられたものである。本明細書・特許請求の範囲・要約書及び図面においては、「開口部」とは、その外縁がガードル本体の背面部分の内部に収まる閉じた開口のみならず、その外縁がガードル本体のウエスト上端まで届く開いた開口をも含むものとする。
【００１４】
請求項３の発明に係る骨盤矯正ガードルは、請求項１または請求項２の構成において、前記１対の背面交差部材は、前記交差する箇所においては上下方向に沿ったステッチによって、前記交差する箇所の左右の箇所においては左右方向に沿ったステッチによって、それぞれ縫付けられたものである。
【００１５】
請求項４の発明に係る骨盤矯正ガードルは、請求項３の構成において、前記ステッチの長さは、１ｃｍ〜４ｃｍの範囲内、より好ましくは１．５ｃｍ〜３ｃｍの範囲内であるものである。
【００１６】
請求項５の発明に係る骨盤矯正ガードルは、請求項１乃至請求項４のいずれか１つの構成において、前記１対の背面交差部材の先端部分が縫付けられる前記ガードルの前面左右部分は左右の大転子が当接する部分またはその近傍であるものである。
【００１７】
請求項６の発明に係る骨盤矯正ガードルは、請求項１乃至請求項５のいずれか１つの構成において、前記１対の背面交差部材の先端部分及び／または後端部分が、前記ガードル本体の前中心までまたは前中心近傍まで伸びて、前中心までまたは前中心近傍までの全長に亘ってまたは間隔をおいて縫付けられたものである。
【００１８】
請求項７の発明に係る骨盤矯正ガードルは、請求項１乃至請求項６のいずれか１つの構成において、前記１対の背面交差部材の先端部分及び／または後端部分が、Ｒ形状を有するものである。ここで、「Ｒ形状」とは、先端部分及び／または後端部分が全て曲線形状である場合のみならず、曲線の一部に直線が含まれる場合をも含むものとする。
【発明の効果】
【００１９】
請求項１の発明に係る骨盤矯正ガードルは、伸縮性を有する生地からなるガードル本体の背面部分に、該背面部分で交差して、その先端部分が上方へ伸びて縫付けられた、及び／またはその後端部分が下方へ伸びて縫付けられた、伸縮性及び弾力性を有する生地からなる１対の背面交差部材を設けた骨盤矯正ガードルであって、先端部分及び／または後端部分は、ガードル本体の前面両脇部分または前面左右部分または前中心近傍または前中心まで伸びて、１対の背面交差部材は、交差する箇所及び該交差する箇所の左右の箇所の３箇所において、ガードル本体の背面部分に縫付けられている。
【００２０】
これによって、背面部分で交差した伸縮性及び弾力性を有する生地からなる１対の背面交差部材によって骨盤が引っ張られ、ヒップが引き締められて正しい姿勢を保つことができる。
【００２１】
したがって、本発明に係る骨盤矯正ガードルを着用して立ったり座ったりするだけでも骨盤を矯正する効果が得られ、更に着用して歩くだけで自然に良い姿勢で真っ直ぐに歩くことができ、自然に骨盤が内側へ回転して“ビーナスウォーク”をすることができ、これを何日も続けることによって骨盤の歪みが矯正されるとともに、背面交差部材によってヒップ部分が引き上げられるため、ヒップアップの効果も得ることができる。
【００２２】
更に、１対の背面交差部材が、交差する箇所及びその左右の箇所の３箇所において、ガードル本体の背面部分に縫付けられていることから、ガードル本体の背面部分の伸縮性の範囲内で１対の背面交差部材が移動可能であるとともに、１対の背面交差部材がガードル本体の背面部分に対してずれることが防止されるため、歩行したり座ったり立ち上がったりする際に、一々ずれた背面交差部材の位置を調整する必要がなく、良好な穿き心地を維持することができるとともに、骨盤矯正効果を確保することができる。
【００２３】
このようにして、ズボンやスカート等の下に、または単独で着用して歩くだけで特に意識しなくても自然と“ビーナスウォーク”をすることができ、骨盤の歪みを矯正することができるとともに、１対の背面交差部材がガードル本体に対してずれることがなく、良好な穿き心地を維持して連続的に骨盤矯正の効果を得ることができる骨盤矯正ガードルとなる。
【００２４】
請求項２の発明に係る骨盤矯正ガードルにおいては、ガードル本体の背面部分の股下から上がった部分に幅がガードル本体の背面部分の幅一杯または更にガードル本体の前面部分の両脇まで届く開口部を設けて、開口部を塞いで伸縮性を有する生地が縫付けられたことから、請求項１に係る発明の効果に加えて、１対の背面交差部材が骨盤を引っ張る効果もヒップ部分を持ち上げる効果も倍加されて、より大きな骨盤矯正の作用効果を得ることができる。
【００２５】
請求項３の発明に係る骨盤矯正ガードルは、１対の背面交差部材が、交差する箇所においては上下方向に沿ったステッチによって、交差する箇所の左右の箇所においては左右方向に沿ったステッチによって縫付けられたことから、請求項１または請求項２に係る発明の効果に加えて、左右からほぼ均等に引張り力が加わるため上下方向に移動しようとする交差する箇所においては上下方向に、左または右のみから引張り力が加わるため左右方向に移動しようとする箇所においては左右方向に、それぞれステッチが伸びているため、引張り力によって縫付けられた箇所の生地が破れたり、ステッチがほつれたりする事態が確実に防止される。
【００２６】
請求項４の発明に係る骨盤矯正ガードルにおいては、ステッチの長さが１ｃｍ〜４ｃｍの範囲内であることから、請求項３に係る発明の効果に加えて、１対の背面交差部材が必要最小限の範囲内で移動可能であるとともに、１対の背面交差部材がガードル本体の背面部分に対してずれることがより確実に防止される。すなわち、ステッチの長さが１ｃｍ未満であると、１対の背面交差部材がガードル本体の背面部分に対してずれるのを防止する効果が不足する可能性があり、一方、ステッチの長さが４ｃｍを超えると、１対の背面交差部材が移動し難くなるため、大きな骨盤矯正の作用効果を得ることができなくなる。
【００２７】
請求項５の発明に係る骨盤矯正ガードルにおいては、１対の背面交差部材の先端部分が縫い付けられるガードル本体の前面左右部分は左右の大転子が当接する部分またはその近傍であることから、請求項１乃至請求項４に係る発明の効果に加えて、左右１対の背面交差部材による足の付け根近傍が内側へ引っ張られる効果が増大して、背面で交差した伸縮性及び弾力性を有する生地からなる１対の背面交差部材によって骨盤がより強力に引っ張られ、ヒップが引き締められて正しい姿勢を保つことができる。
【００２８】
請求項６の発明に係る骨盤矯正ガードルにおいては、１対の背面交差部材の先端部分及び／または後端部分が、ガードル本体の前中心までまたは前中心近傍まで伸びて、前中心までまたは前中心近傍までの全長に亘ってまたは間隔をおいて縫付けられたことから、請求項１乃至請求項５に係る発明の効果に加えて、ヒップが引き締められる効果がより強力になるとともにより強力に骨盤が引っ張られることになり、ヒップが引き締められて正しい姿勢を保つことができる。
【００２９】
請求項７の発明に係る骨盤矯正ガードルにおいては、１対の背面交差部材の先端部分及び／または後端部分がＲ形状を有することから、請求項１乃至請求項６に係る発明の効果に加えて、先端部分及び／または後端部分をＲ形状に沿って縫付けることによって、ミシンを止めずに一度に縫付けることができて、量産性に優れた骨盤矯正ガードルになるとともに、縫い目のラインの意匠性にも優れ、デザイン的にも良好で見た目も優れた骨盤矯正ガードルになる。
【図面の簡単な説明】
【００３０】
【図１】図１は、骨盤とその周辺の骨を正面から見て示す概略図である。
【図２】図２（ａ）は本発明の実施例１に係る骨盤矯正ガードルの全体構成を示す正面図、（ｂ）は背面斜視図、（ｃ）は背面図である。
【図３】図３（ａ）は本発明の実施例１の第１変形例に係る骨盤矯正ガードルの全体構成を示す正面図、（ｂ）は背面斜視図、（ｃ）は背面図である。
【図４】図４（ａ）は本発明の実施例１の第２変形例に係る骨盤矯正ガードルの全体構成を示す正面図、（ｂ）は背面斜視図、（ｃ）は背面図である。
【図５】図５（ａ）は本発明の実施例２に係る骨盤矯正ガードルの全体構成を示す正面図、（ｂ）は背面斜視図、（ｃ）は背面図である。
【図６】図６（ａ）は本発明の実施例２の第１変形例に係る骨盤矯正ガードルの全体構成を示す正面図、（ｂ）は本発明の実施例２の第２変形例に係る骨盤矯正ガードルの全体構成を示す正面図、（ｃ）は本発明の実施例２の第３変形例に係る骨盤矯正ガードルの全体構成を示す正面図である。
【図７】図７（ａ）は本発明の実施例３に係る骨盤矯正ガードルの全体構成を示す正面図、（ｂ）は背面斜視図、（ｃ）は背面図である。
【図８】図８（ａ）は本発明の実施例３の第１変形例に係る骨盤矯正ガードルの全体構成を示す正面図、（ｂ）は本発明の実施例３の第２変形例に係る骨盤矯正ガードルの全体構成を示す正面図、（ｃ）は本発明の実施例３の第３変形例に係る骨盤矯正ガードルの全体構成を示す正面図である。
【図９】図９（ａ）は本発明の実施例４に係る骨盤矯正ガードルの全体構成を示す正面図、（ｂ）は背面斜視図、（ｃ）は背面図である。
【図１０】図１０（ａ）は本発明の実施例４の第１変形例に係る骨盤矯正ガードルの全体構成を示す正面図、（ｂ）は背面斜視図、（ｃ）は背面図である。
【図１１】図１１（ａ）は本発明の実施例４の第２変形例に係る骨盤矯正ガードルの全体構成を示す正面図、（ｂ）は背面斜視図、（ｃ）は背面図である。
【図１２】図１２（ａ）は本発明の実施例５に係る骨盤矯正ガードルの全体構成を示す正面図、（ｂ）は背面斜視図、（ｃ）は背面図である。
【図１３】図１３（ａ）は本発明の実施例５の第１変形例に係る骨盤矯正ガードルの全体構成を示す正面図、（ｂ）は本発明の実施例５の第２変形例に係る骨盤矯正ガードルの全体構成を示す正面図、（ｃ）は本発明の実施例５の第３変形例に係る骨盤矯正ガードルの全体構成を示す正面図である。
【図１４】図１４（ａ）は本発明の実施例６に係る骨盤矯正ガードルの全体構成を示す正面図、（ｂ）は背面斜視図、（ｃ）は背面図である。
【図１５】図１５（ａ）は本発明の実施例６の第１変形例に係る骨盤矯正ガードルの全体構成を示す正面図、（ｂ）は本発明の実施例６の第２変形例に係る骨盤矯正ガードルの全体構成を示す正面図、（ｃ）は本発明の実施例６の第３変形例に係る骨盤矯正ガードルの全体構成を示す正面図である。
【図１６】図１６（ａ）は本発明の実施例７に係る骨盤矯正ガードルの全体構成を示す正面図、（ｂ）は背面斜視図、（ｃ）は背面図である。
【図１７】図１７（ａ）は本発明の実施例７の第１変形例に係る骨盤矯正ガードルの全体構成を示す正面図、（ｂ）は背面斜視図、（ｃ）は背面図である。
【図１８】図１８（ａ）は本発明の実施例７の第２変形例に係る骨盤矯正ガードルの全体構成を示す正面図、（ｂ）は背面斜視図、（ｃ）は背面図である。
【図１９】図１９（ａ）は本発明の実施例８に係る骨盤矯正ガードルの全体構成を示す正面図、（ｂ）は背面斜視図、（ｃ）は背面図である。
【図２０】図２０（ａ）は本発明の実施例８の第１変形例に係る骨盤矯正ガードルの全体構成を示す正面図、（ｂ）は本発明の実施例８の第２変形例に係る骨盤矯正ガードルの全体構成を示す正面図、（ｃ）は本発明の実施例８の第３変形例に係る骨盤矯正ガードルの全体構成を示す正面図である。
【図２１】図２１（ａ）は本発明の実施例９に係る骨盤矯正ガードルの全体構成を示す正面図、（ｂ）は背面斜視図、（ｃ）は背面図である。
【図２２】図２２（ａ）は本発明の実施例９の第１変形例に係る骨盤矯正ガードルの全体構成を示す正面図、（ｂ）は本発明の実施例９の第２変形例に係る骨盤矯正ガードルの全体構成を示す正面図、（ｃ）は本発明の実施例９の第３変形例に係る骨盤矯正ガードルの全体構成を示す正面図である。
【図２３】図２３（ａ）は本発明の実施例１０に係る骨盤矯正ガードルの全体構成を示す正面図、（ｂ）は背面斜視図、（ｃ）は背面図である。
【図２４】図２４（ａ）は本発明の実施例１０の第１変形例に係る骨盤矯正ガードルの全体構成を示す正面図、（ｂ）は背面斜視図、（ｃ）は背面図である。
【図２５】図２５（ａ）は本発明の実施例１０の第２変形例に係る骨盤矯正ガードルの全体構成を示す正面図、（ｂ）は背面斜視図、（ｃ）は背面図である。
【図２６】図２６（ａ）は本発明の実施例１１に係る骨盤矯正ガードルの全体構成を示す正面図、（ｂ）は背面斜視図、（ｃ）は背面図である。
【図２７】図２７（ａ）は本発明の実施例１１の第１変形例に係る骨盤矯正ガードルの全体構成を示す正面図、（ｂ）は本発明の実施例１１の第２変形例に係る骨盤矯正ガードルの全体構成を示す正面図、（ｃ）は本発明の実施例１１の第３変形例に係る骨盤矯正ガードルの全体構成を示す正面図である。
【図２８】図２８（ａ）は本発明の実施例１２に係る骨盤矯正ガードルの全体構成を示す正面図、（ｂ）は背面斜視図、（ｃ）は背面図である。
【図２９】図２９（ａ）は本発明の実施例１２の第１変形例に係る骨盤矯正ガードルの全体構成を示す正面図、（ｂ）は本発明の実施例１２の第２変形例に係る骨盤矯正ガードルの全体構成を示す正面図、（ｃ）は本発明の実施例１２の第３変形例に係る骨盤矯正ガードルの全体構成を示す正面図である。
【図３０】図３０（ａ）は本発明の実施例１３に係る骨盤矯正ガードルの全体構成を示す背面斜視図、（ｂ）は本発明の実施例１３の第１変形例に係る骨盤矯正ガードルの全体構成を示す背面斜視図、（ｃ）は本発明の実施例１３の第２変形例に係る骨盤矯正ガードルの全体構成を示す背面斜視図、（ｃ）は本発明の実施例１３の第３変形例に係る骨盤矯正ガードルの全体構成を示す背面斜視図である。
【発明を実施するための形態】
【００３１】
本発明を実施するに際しては、骨盤矯正ガードルの本体として、伸縮性を有する生地からなるガードル本体を作製する必要がある。ここで、ガードル本体は、伸縮性を有する生地からなることが必要であるが、伸縮性及び弾力性を有する生地からなることが、より好ましい。これによって、骨盤矯正ガードルによるヒップの締め付け効果及び骨盤の矯正効果がより向上するという作用効果が得られるからである。このような伸縮性及び弾力性を有する生地としては、具体的にはパワーネット生地、サテンネット生地、ストレッチサテン生地、等がある。
【００３２】
また、本発明の実施の形態においては、ガードル本体には、背面部分の股下から上がった部分に幅がガードル本体の背面部分の幅一杯、または更にガードル本体の前面部分の両脇まで届く開口部を設けることが、より好ましい。これによって、１対の背面交差部材が骨盤を引っ張る効果もヒップ部分を持ち上げる効果も倍加されて、より大きな骨盤矯正の作用効果を得ることができるからである。
【００３３】
この開口部の形状としては、長円形・長方形・三角形・ハート形等の様々な形状を用いることができる。特に、開口部の下縁のガードル本体の背面部分の股下からの長さが５ｃｍ〜１０ｃｍの範囲内であり、開口部の高さが５ｃｍ〜１５ｃｍの範囲内であることが、より好ましい。なお、本発明の実施の形態としては、「開口部」には、その外縁がガードル本体の背面部分の内部に収まる閉じた開口のみならず、その外縁がガードル本体のウエスト上端まで届く開いた開口も含まれる。
【００３４】
更に、本発明の実施の形態においては、１対の背面交差部材が２枚以上の伸縮性及び弾力性を有する生地からなることが、より好ましい。なお、この場合において、１対の背面交差部材はガードル本体と完全に分離したものとして構成されても良いし、２枚以上の伸縮性及び弾力性を有する生地のうち１枚以上がガードル本体と一体に構成されたものでも良い。
【００３５】
また、本発明の実施の形態においては、１対の背面交差部材がガードル本体の背面部分の３箇所に縫付けられる方法として、交差する箇所においては上下方向に沿ったステッチによって、交差する箇所の左右の箇所においては左右方向に沿ったステッチによって、縫付けられることがより好ましい。これによって、引張り力によって縫付けられた箇所の生地が破れたり、ステッチがほつれたりする事態が確実に防止されるからである。
【００３６】
更に、本発明の実施の形態においては、１対の背面交差部材がガードル本体の背面部分の３箇所に縫付けられるステッチの長さは、１ｃｍ〜４ｃｍの範囲内、更には１．５ｃｍ〜３ｃｍの範囲内であることがより好ましい。これによって、１対の背面交差部材が必要最小限の範囲内で移動可能であるとともに、１対の背面交差部材がガードルの背面部分に対してずれることがより確実に防止されるからである。
【００３７】
また、本発明の実施の形態においては、１対の背面交差部材の先端部分が縫付けられるガードルの前面左右部分は左右の大転子が当接する部分またはその近傍であることが、より好ましい。これによって、左右１対の背面交差部材による足の付け根近傍が内側へ引っ張られる効果が増大して、背面で交差した伸縮性及び弾力性を有する生地からなる１対の背面交差部材によって、骨盤がより強力に引っ張られるからである。
【００３８】
更に、本発明の実施の形態においては、１対の背面交差部材の先端部分及び／または後端部分が、ガードルの前中心までまたは前中心近傍まで伸びて、前中心までまたは前中心近傍までの全長に亘ってまたは間隔をおいて縫付けられることが、より好ましい。これによって、ヒップが引き締められる効果がより強力になるとともに、骨盤がより強力に引っ張られることになるからである。
【００３９】
また、本発明の実施の形態においては、１対の背面交差部材の先端部分及び／または後端部分がＲ形状を有することが、より好ましい。これによって、ミシンを止めずに一度に縫付けることができて、量産性に優れた骨盤矯正ガードルになるとともに、縫い目のラインの意匠性にも優れ、デザイン的にも良好で見た目も優れた骨盤矯正ガードルになるからである。
【実施例】
【００４０】
以下、本発明について図面を参照しつつ、具体的な実施例に即して説明するが、本発明はこれらの実施例に何ら限定されるものではない。
【００４１】
実施例１
まず、本発明の実施例１について、図２乃至図４を参照して説明する。図２（ａ）は本発明の実施例１に係る骨盤矯正ガードルの全体構成を示す正面図、（ｂ）は背面斜視図、（ｃ）は背面図である。図３（ａ）は本発明の実施例１の第１変形例に係る骨盤矯正ガードルの全体構成を示す正面図、（ｂ）は背面斜視図、（ｃ）は背面図である。図４（ａ）は本発明の実施例１の第２変形例に係る骨盤矯正ガードルの全体構成を示す正面図、（ｂ）は背面斜視図、（ｃ）は背面図である。
【００４２】
図２（ａ），（ｂ），（ｃ）に示されるように、実施例１に係る骨盤矯正ガードル１１は、伸縮性を有する生地としてのサテンネットからなるガードル本体１２の表面側に、ガードル本体１２の背面部分で交差して、その先端部分１３ａ，１４ａが上方へ伸びて縫付けられ、その後端部分１３ｂ，１４ｂが下方へ伸びて縫付けられた、伸縮性及び弾力性を有する生地としての、１枚のパワーネット及び１枚のサテンネットの二重の生地からなる１対の背面交差部材１３，１４が設けられている。ガードル本体１２は、サテンネットの生地が前中心ＦＣ及び後中心ＢＣで縫い合わされて構成されている。
【００４３】
そして、１対の背面交差部材１３，１４の先端部分１３ａ，１４ａ及び後端部分１３ｂ，１４ｂは、いずれもガードル本体１２の前面両脇部分まで伸びて、先端部分１３ａ，１４ａ及び後端部分１３ｂ，１４ｂが、ガードル本体１２に縫付けられている。更に、１対の背面交差部材１３，１４は、交差する箇所１５ａ及び該交差する箇所１５ａの左右の箇所１５ｂ，１５ｃの３箇所において、ガードル本体１２の背面部分に縫付けられている。交差する箇所の縫付けステッチ１５ａは、上下方向のステッチであり、左右の箇所の縫付けステッチ１５ｂ，１５ｃは、左右方向のステッチである。また、ステッチ１５ａ，１５ｂ，１５ｃの長さは、いずれも３ｃｍである。
【００４４】
かかる構成によって、背面部分で交差した１枚のパワーネット及び１枚のサテンネットの二重の生地からなる１対の背面交差部材１３，１４によって骨盤が引っ張られ、ヒップが引き締められて正しい姿勢を保つことができる。したがって、骨盤矯正ガードル１１を着用して立ったり座ったりするだけでも骨盤を矯正する効果が得られ、更に着用して歩くだけで自然に良い姿勢で真っ直ぐに歩くことができ、自然に骨盤が内側へ回転して“ビーナスウォーク”をすることができ、これを何日も続けることによって骨盤の歪みが矯正されるとともに、背面交差部材１３，１４によってヒップ部分が引き上げられるため、ヒップアップの効果も得ることができる。
【００４５】
更に、１対の背面交差部材１３，１４が、交差する箇所１５ａ及びその左右の箇所１５ｂ，１５ｃの３箇所において、ガードル本体１２の背面部分に縫付けられていることから、ガードル本体１２の背面部分の伸縮性の範囲内で１対の背面交差部材１３，１４が移動可能であるとともに、１対の背面交差部材１３，１４がガードル本体１２の背面部分に対してずれることが防止されるため、歩行したり座ったり立ち上がったりする際に、一々ずれた背面交差部材１３，１４の位置を調整する必要がなく、良好な穿き心地を維持することができる。
【００４６】
また、１対の背面交差部材１３，１４が、交差する箇所においては上下方向に沿ったステッチ１５ａによって、交差する箇所の左右の箇所においては左右方向に沿ったステッチ１５ｂ，１５ｃによって縫付けられたことから、引張り力によって縫付けられた箇所の生地が破れたり、ステッチ１５ａ，１５ｂ，１５ｃがほつれたりする事態が確実に防止される。そして、１対の背面交差部材１３，１４がガードル本体１２の表側に取付けられ、ガードル本体１２の裏側（内側）には何も取付けられないことから、着用したときに違和感がなく、良好な穿き心地が得られる。
【００４７】
更に、１対の背面交差部材１３，１４の先端部分１３ａ，１４ａが縫付けられるガードル本体１２の前面左右部分は、左右の大転子が当接する部分の近傍であることから、左右１対の背面交差部材１３，１４による足の付け根近傍が内側へ引っ張られる効果が増大して、背面で交差した１対の背面交差部材１３，１４によって骨盤がより強力に引っ張られ、ヒップが引き締められて正しい姿勢を保つことができる。また、１対の背面交差部材１３，１４が、極めて簡単な構成のガードル本体１２の背面部分の表側に取付けられることから、縫製が容易で製造工程が短縮されて、低コストで製造することができる骨盤矯正ガードル１１となる。
【００４８】
次に、本発明の実施例１の第１変形例について、図３を参照して説明する。図３（ａ），（ｂ），（ｃ）に示されるように、実施例１の第１変形例に係る骨盤矯正ガードル１１Ａの全体構成は、上記実施例１に係る骨盤矯正ガードル１１とほぼ同一である。異なるのは、１対の背面交差部材１３Ａ，１４Ａの先端部分１３Ａａ，１４Ａａ及び後端部分１３Ａｂ，１４Ａｂが、略半円形の丸みを帯びたＲ形状となっている点である。
【００４９】
これによって、先端部分１３Ａａ，１４Ａａ及び後端部分１３Ａｂ，１４ＡｂをＲ形状に沿って縫付けることによって、ミシンを止めずに一度に縫付けることができて、量産性に優れた骨盤矯正ガードル１１Ａになるとともに、縫い目のラインの意匠性にも優れ、デザイン的にも良好で見た目も優れた骨盤矯正ガードル１１Ａになる。その他の構成については、上記骨盤矯正ガードル１１とほぼ同一であることから、骨盤矯正ガードル１１と同様の作用効果が得られる。
【００５０】
次に、本発明の実施例１の第２変形例について、図４を参照して説明する。図４（ａ），（ｂ），（ｃ）に示されるように、実施例１の第２変形例に係る骨盤矯正ガードル１１Ｂの全体構成は、上記実施例１に係る骨盤矯正ガードル１１とほぼ同一である。異なるのは、１対の背面交差部材１３Ｂ，１４Ｂの先端部分１３Ｂａ，１４Ｂａ及び後端部分１３Ｂｂ，１４Ｂｂが、日本刀の先端のようなＲ形状となっている点である。
【００５１】
これによって、先端部分１３Ｂａ，１４Ｂａ及び後端部分１３Ｂｂ，１４ＢｂをＲ形状に沿って縫付けることによって、ミシンを止めずに一度に縫付けることができて、量産性に優れた骨盤矯正ガードル１１Ｂになるとともに、縫い目のラインの意匠性にも優れ、デザイン的にも良好で見た目も優れた骨盤矯正ガードル１１Ｂになる。特に、日本刀の先端のようなＲ形状に沿ったステッチによって、流線形のスピード感溢れるデザインとなり、消費者の購買意欲をそそるものとなる。その他の構成については、上記骨盤矯正ガードル１１とほぼ同一であることから、骨盤矯正ガードル１１と同様の作用効果が得られる。
【００５２】
このようにして、本発明の実施例１に係る骨盤矯正ガードル１１，１１Ａ，１１Ｂにおいては、ズボンやスカート等の下に、または単独で着用して歩くだけで特に意識しなくても自然と“ビーナスウォーク”をすることができ、骨盤の歪みを矯正することができるとともに、１対の背面交差部材１３，１４，１３Ａ，１４Ａ，１３Ｂ，１４Ｂがガードル本体１２に対してずれることがなく、良好な穿き心地を維持して連続的に骨盤矯正の効果を得ることができる。
【００５３】
実施例２
次に、本発明の実施例２について、図５及び図６を参照して説明する。図５（ａ）は本発明の実施例２に係る骨盤矯正ガードルの全体構成を示す正面図、（ｂ）は背面斜視図、（ｃ）は背面図である。図６（ａ）は本発明の実施例２の第１変形例に係る骨盤矯正ガードルの全体構成を示す正面図、（ｂ）は本発明の実施例２の第２変形例に係る骨盤矯正ガードルの全体構成を示す正面図、（ｃ）は本発明の実施例２の第３変形例に係る骨盤矯正ガードルの全体構成を示す正面図である。
【００５４】
図５（ａ），（ｂ），（ｃ）に示されるように、実施例２に係る骨盤矯正ガードル１６の全体構成は、上記実施例１に係る骨盤矯正ガードル１１とほぼ同一である。異なるのは、１対の背面交差部材１７，１８の先端部分１７ａ，１８ａ及び後端部分１７ｂ，１８ｂが、いずれもガードル本体１２の前面左右部分まで伸びている点である。そして、１対の背面交差部材１７，１８は、交差する箇所１５ａ及び該交差する箇所１５ａの左右の箇所１５ｂ，１５ｃの３箇所において、ガードル本体１２の背面部分に縫付けられている。
【００５５】
かかる構成によって、背面部分で交差した１枚のパワーネット及び１枚のサテンネットの二重の生地からなる１対の背面交差部材１７，１８によって骨盤が引っ張られ、ヒップが引き締められて正しい姿勢を保つことができる。したがって、骨盤矯正ガードル１６を着用して立ったり座ったりするだけでも骨盤を矯正する効果が得られ、更に着用して歩くだけで自然に良い姿勢で真っ直ぐに歩くことができ、自然に骨盤が内側へ回転して“ビーナスウォーク”をすることができ、これを何日も続けることによって骨盤の歪みが矯正されるとともに、背面交差部材１７，１８によってヒップ部分が引き上げられるため、ヒップアップの効果も得ることができる。
【００５６】
更に、１対の背面交差部材１７，１８が、交差する箇所１５ａ及びその左右の箇所１５ｂ，１５ｃの３箇所において、ガードル本体１２の背面部分に縫付けられていることから、ガードル本体１２の背面部分の伸縮性の範囲内で１対の背面交差部材１７，１８が移動可能であるとともに、１対の背面交差部材１７，１８がガードル本体１２の背面部分に対してずれることが防止されるため、歩行したり座ったり立ち上がったりする際に、一々ずれた背面交差部材１７，１８の位置を調整する必要がなく、良好な穿き心地と骨盤を矯正する効果とを維持することができる。その他の作用効果についても、上記実施例１に係る骨盤矯正ガードル１１と同様である。
【００５７】
次に、本発明の実施例２の第１変形例について、図６（ａ）を参照して説明する。図６（ａ）に示されるように、実施例２の第１変形例に係る骨盤矯正ガードル１６Ａの全体構成は、上記実施例２に係る骨盤矯正ガードル１６とほぼ同一である。異なるのは、１対の背面交差部材１７Ａ，１８Ａの先端部分１７Ａａ，１８Ａａ及び後端部分１７Ａｂ，１８Ａｂが、略半円形の丸みを帯びたＲ形状となっている点である。
【００５８】
これによって、先端部分１７Ａａ，１８Ａａ及び後端部分１７Ａｂ，１８ＡｂをＲ形状に沿って縫付けることによって、ミシンを止めずに一度に縫付けることができて、量産性に優れた骨盤矯正ガードル１６Ａになるとともに、縫い目のラインの意匠性にも優れ、デザイン的にも良好で見た目も優れた骨盤矯正ガードル１６Ａになる。その他の構成については、上記骨盤矯正ガードル１６とほぼ同一であることから、骨盤矯正ガードル１６と同様の作用効果が得られる。
【００５９】
次に、本発明の実施例２の第２変形例について、図６（ｂ）を参照して説明する。図６（ｂ）に示されるように、実施例２の第２変形例に係る骨盤矯正ガードル１６Ｂの全体構成は、上記実施例２に係る骨盤矯正ガードル１６とほぼ同一である。異なるのは、１対の背面交差部材１７Ｂ，１８Ｂの先端部分１７Ｂａ，１８Ｂａ及び後端部分１７Ｂｂ，１８Ｂｂが、日本刀の先端のようなＲ形状となっている点である。
【００６０】
これによって、先端部分１７Ｂａ，１８Ｂａ及び後端部分１７Ｂｂ，１８ＢｂをＲ形状に沿って縫付けることによって、ミシンを止めずに一度に縫付けることができて、量産性に優れた骨盤矯正ガードル１６Ｂになるとともに、縫い目のラインの意匠性にも優れ、デザイン的にも良好で見た目も優れた骨盤矯正ガードル１６Ｂになる。特に、日本刀の先端のようなＲ形状に沿ったステッチによって、流線形のスピード感溢れるデザインとなり、消費者の購買意欲をそそるものとなる。その他の構成については、上記骨盤矯正ガードル１６とほぼ同一であることから、骨盤矯正ガードル１６と同様の作用効果が得られる。
【００６１】
次に、本発明の実施例２の第３変形例について、図６（ｃ）を参照して説明する。図６（ｃ）に示されるように、実施例２の第３変形例に係る骨盤矯正ガードル１６Ｃの全体構成は、上記実施例２に係る骨盤矯正ガードル１６とほぼ同一である。異なるのは、ガードル本体１２が、ガードル前中心部分１２Ａにおいて二重になっており、１対の背面交差部材１７Ｃ，１８Ｃの先端部分１７Ｃａ，１８Ｃａ及び後端部分１７Ｃｂ，１８Ｃｂが、ガードル前中心部分１２Ａに接続される形で縫付けられている点である。その他の構成については、上記骨盤矯正ガードル１６とほぼ同一であることから、骨盤矯正ガードル１６と同様の作用効果が得られる。
【００６２】
このようにして、本発明の実施例２に係る骨盤矯正ガードル１６，１６Ａ，１６Ｂ，１６Ｃにおいては、ズボンやスカート等の下に、または単独で着用して歩くだけで特に意識しなくても自然と“ビーナスウォーク”をすることができ、骨盤の歪みを矯正することができるとともに、１対の背面交差部材１７，１８，１７Ａ，１８Ａ，１７Ｂ，１８Ｂ，１７Ｃ，１８Ｃがガードル本体１２に対してずれることがなく、良好な穿き心地を維持して連続的に骨盤矯正の効果を得ることができる。
【００６３】
実施例３
次に、本発明の実施例３について、図７及び図８を参照して説明する。図７（ａ）は本発明の実施例３に係る骨盤矯正ガードルの全体構成を示す正面図、（ｂ）は背面斜視図、（ｃ）は背面図である。図８（ａ）は本発明の実施例３の第１変形例に係る骨盤矯正ガードルの全体構成を示す正面図、（ｂ）は本発明の実施例３の第２変形例に係る骨盤矯正ガードルの全体構成を示す正面図、（ｃ）は本発明の実施例３の第３変形例に係る骨盤矯正ガードルの全体構成を示す正面図である。
【００６４】
図７（ａ），（ｂ），（ｃ）に示されるように、実施例３に係る骨盤矯正ガードル２０の全体構成は、上記実施例１に係る骨盤矯正ガードル１１とほぼ同一である。異なるのは、１対の背面交差部材２１，２２の先端部分２１ａ，２２ａ及び後端部分２１ｂ，２２ｂが、いずれもガードル本体１２の前中心ＦＣまで伸びて、先端部分２１ａ，２２ａ及び後端部分２１ｂ，２２ｂが、前中心ＦＣにおいて互いに接続される形で、ガードル本体１２に縫付けられている点である。更に、１対の背面交差部材２１，２２は、交差する箇所１５ａ及び該交差する箇所１５ａの左右の箇所１５ｂ，１５ｃの３箇所において、ガードル本体１２の背面部分に縫付けられている。
【００６５】
かかる構成によって、背面部分で交差した１枚のパワーネット及び１枚のサテンネットの二重の生地からなる１対の背面交差部材２１，２２によって骨盤が引っ張られ、ヒップが引き締められて正しい姿勢を保つことができる。したがって、骨盤矯正ガードル２０を着用して立ったり座ったりするだけでも骨盤を矯正する効果が得られ、更に着用して歩くだけで自然に良い姿勢で真っ直ぐに歩くことができ、自然に骨盤が内側へ回転して“ビーナスウォーク”をすることができ、これを何日も続けることによって骨盤の歪みが矯正されるとともに、背面交差部材２１，２２によってヒップ部分が引き上げられるため、ヒップアップの効果も得ることができる。
【００６６】
更に、１対の背面交差部材２１，２２が、交差する箇所１５ａ及びその左右の箇所１５ｂ，１５ｃの３箇所において、ガードル本体１２の背面部分に縫付けられ、ステッチ１５ａ，１５ｂ，１５ｃの長さが３ｃｍであることから、ガードル本体１２の背面部分の伸縮性の範囲内で１対の背面交差部材２１，２２が移動可能であるとともに、１対の背面交差部材２１，２２がガードル本体１２の背面部分に対してずれることが防止されるため、歩行したり座ったり立ち上がったりする際に、一々ずれた背面交差部材２１，２２の位置を調整する必要がなく、良好な穿き心地を維持することができる。
【００６７】
更に、１対の背面交差部材２１，２２の先端部分２１ａ，２２ａ及び後端部分２１ｂ，２２ｂが、ガードル本体１２の前中心ＦＣまで伸びて、前中心ＦＣまでの全長に亘って縫付けられたことから、ヒップが引き締められる効果がより強力になるとともにより強力に骨盤が引っ張られることになり、ヒップが引き締められて正しい姿勢を保つことができる。その他の作用効果は、上記実施例１に係る骨盤矯正ガードル１１と同様である。
【００６８】
次に、本発明の実施例３の第１変形例について、図８（ａ）を参照して説明する。図８（ａ）に示されるように、実施例３の第１変形例に係る骨盤矯正ガードル２０Ａの全体構成は、上記実施例３に係る骨盤矯正ガードル２０とほぼ同一である。異なるのは、１対の背面交差部材２１Ａ，２２Ａの先端部分２１Ａａ，２２Ａａ及び後端部分２１Ａｂ，２２Ａｂが、前中心ＦＣまでは伸びずに前中心ＦＣの近傍に留まっている点である。その他の構成については、上記骨盤矯正ガードル２０とほぼ同一であることから、骨盤矯正ガードル２０と同様の作用効果が得られる。
【００６９】
次に、本発明の実施例３の第２変形例について、図８（ｂ）を参照して説明する。図８（ｂ）に示されるように、実施例３の第２変形例に係る骨盤矯正ガードル２０Ｂの全体構成は、上記実施例３に係る骨盤矯正ガードル２０とほぼ同一である。異なるのは、１対の背面交差部材２１Ｂ，２２Ｂの先端部分２１Ｂａ，２２Ｂａ及び後端部分２１Ｂｂ，２２Ｂｂが、略半円形の丸みを帯びたＲ形状となっている点である。
【００７０】
これによって、先端部分２１Ｂａ，２２Ｂａ及び後端部分２１Ｂｂ，２２ＢｂをＲ形状に沿って縫付けることによって、ミシンを止めずに一度に縫付けることができて、量産性に優れた骨盤矯正ガードル２０Ｂになるとともに、縫い目のラインの意匠性にも優れ、デザイン的にも良好で見た目も優れた骨盤矯正ガードル２０Ｂになる。その他の構成については、上記骨盤矯正ガードル２０とほぼ同一であることから、骨盤矯正ガードル２０と同様の作用効果が得られる。
【００７１】
次に、本発明の実施例３の第３変形例について、図８（ｃ）を参照して説明する。図８（ｃ）に示されるように、実施例３の第３変形例に係る骨盤矯正ガードル２０Ｃの全体構成は、上記実施例３に係る骨盤矯正ガードル２０とほぼ同一である。異なるのは、１対の背面交差部材２１Ｃ，２２Ｃの先端部分２１Ｃａ，２２Ｃａ及び後端部分２１Ｃｂ，２２Ｃｂが、日本刀の先端のようなＲ形状となっている点である。
【００７２】
これによって、先端部分２１Ｃａ，２２Ｃａ及び後端部分２１Ｃｂ，２２ＣｂをＲ形状に沿って縫付けることによって、ミシンを止めずに一度に縫付けることができて、量産性に優れた骨盤矯正ガードル２０Ｃになるとともに、縫い目のラインの意匠性にも優れ、デザイン的にも良好で見た目も優れた骨盤矯正ガードル２０Ｃになる。特に、日本刀の先端のようなＲ形状に沿ったステッチによって、流線形のスピード感溢れるデザインとなり、消費者の購買意欲をそそるものとなる。その他の構成については、上記骨盤矯正ガードル２０とほぼ同一であることから、骨盤矯正ガードル２０と同様の作用効果が得られる。
【００７３】
このようにして、本発明の実施例３に係る骨盤矯正ガードル２０，２０Ａ，２０Ｂ，２０Ｃにおいては、ズボンやスカート等の下に、または単独で着用して歩くだけで特に意識しなくても自然と“ビーナスウォーク”をすることができ、骨盤の歪みを矯正することができるとともに、１対の背面交差部材２１，２２，２１Ａ，２２Ａ，２１Ｂ，２２Ｂ，２１Ｃ，２２Ｃがガードル本体１２に対してずれることがなく、良好な穿き心地を維持して連続的に骨盤矯正の効果を得ることができる。
【００７４】
実施例４
次に、本発明の実施例４について、図９乃至図１１を参照して説明する。図９（ａ）は本発明の実施例４に係る骨盤矯正ガードルの全体構成を示す正面図、（ｂ）は背面斜視図、（ｃ）は背面図である。図１０（ａ）は本発明の実施例４の第１変形例に係る骨盤矯正ガードルの全体構成を示す正面図、（ｂ）は背面斜視図、（ｃ）は背面図である。図１１（ａ）は本発明の実施例４の第２変形例に係る骨盤矯正ガードルの全体構成を示す正面図、（ｂ）は背面斜視図、（ｃ）は背面図である。
【００７５】
図９（ａ），（ｂ），（ｃ）に示されるように、実施例４に係る骨盤矯正ガードル２５は、実施例１に係る骨盤矯正ガードル１１と異なり、伸縮性を有する生地としてのサテンネットからなるガードル本体１２の裏面側（内側）に、ガードル本体１２の背面部分で交差して、その先端部分２６ａ，２７ａが上方へ伸びて縫付けられ、その後端部分２６ｂ，２７ｂが下方へ伸びて縫付けられた、伸縮性及び弾力性を有する生地としての、１枚のパワーネット及び１枚のサテンネットの二重の生地からなる１対の背面交差部材２６，２７が設けられている。
【００７６】
そして、１対の背面交差部材２６，２７の先端部分２６ａ，２７ａ及び後端部分２６ｂ，２７ｂは、いずれもガードル本体１２の前面両脇部分まで伸びて、先端部分２６ａ，２７ａ及び後端部分２６ｂ，２７ｂが、ガードル本体１２の裏側に縫付けられている。更に、１対の背面交差部材２６，２７は、交差する箇所２８ａ及び該交差する箇所２８ａの左右の箇所２８ｂ，２８ｃの３箇所において、ガードル本体１２の背面部分の裏側に縫付けられている。交差する箇所の縫付けステッチ２８ａは、上下方向のステッチであり、左右の箇所の縫付けステッチ２８ｂ，２８ｃは、左右方向のステッチである。また、ステッチ２８ａ，２８ｂ，２８ｃの長さは、いずれも２．５ｃｍである。
【００７７】
かかる構成によって、背面部分で交差した１枚のパワーネット及び１枚のサテンネットの二重の生地からなる１対の背面交差部材２６，２７によって骨盤が引っ張られ、ヒップが引き締められて正しい姿勢を保つことができる。したがって、骨盤矯正ガードル２５を着用して立ったり座ったりするだけでも骨盤を矯正する効果が得られ、更に着用して歩くだけで自然に良い姿勢で真っ直ぐに歩くことができ、自然に骨盤が内側へ回転して“ビーナスウォーク”をすることができ、これを何日も続けることによって骨盤の歪みが矯正されるとともに、背面交差部材２６，２７によってヒップ部分が引き上げられるため、ヒップアップの効果も得ることができる。
【００７８】
更に、１対の背面交差部材２６，２７が、交差する箇所２８ａ及びその左右の箇所２８ｂ，２８ｃの３箇所において、ガードル本体１２の背面部分に縫付けられていることから、ガードル本体１２の背面部分の伸縮性の範囲内で１対の背面交差部材２６，２７が移動可能であるとともに、１対の背面交差部材２６，２７がガードル本体１２の背面部分に対してずれることが防止されるため、歩行したり座ったり立ち上がったりする際に、一々ずれた背面交差部材２６，２７の位置を調整する必要がなく、良好な穿き心地と骨盤を矯正する効果とを維持することができる。
【００７９】
また、１対の背面交差部材２６，２７が、交差する箇所においては上下方向に沿ったステッチ２８ａによって、交差する箇所の左右の箇所においては左右方向に沿ったステッチ２８ｂ，２８ｃによって縫付けられたことから、引張り力によって縫付けられた箇所の生地が破れたり、ステッチ２８ａ，２８ｂ，２８ｃがほつれたりする事態が確実に防止される。そして、１対の背面交差部材２６，２７がガードル本体１２の裏側（内側）に取付けられ、ガードル本体１２の表側には何も取付けられないことから、商品として陳列されたときの見栄えが良く、すっきりとした印象を与える。
【００８０】
更に、１対の背面交差部材２６，２７の先端部分２６ａ，２７ａが縫付けられるガードル本体１２の前面左右部分は、左右の大転子が当接する部分の近傍であることから、左右１対の背面交差部材２６，２７による足の付け根近傍が内側へ引っ張られる効果が増大して、背面で交差した１対の背面交差部材２６，２７によって骨盤がより強力に引っ張られ、ヒップが引き締められて正しい姿勢を保つことができる。また、１対の背面交差部材２６，２７が、極めて簡単な構成のガードル本体１２の背面部分の裏側に取付けられることから、縫製が容易で製造工程が短縮されて、低コストで製造することができる骨盤矯正ガードル２５となる。
【００８１】
次に、本発明の実施例４の第１変形例について、図１０を参照して説明する。図１０（ａ），（ｂ），（ｃ）に示されるように、実施例４の第１変形例に係る骨盤矯正ガードル２５Ａの全体構成は、上記実施例４に係る骨盤矯正ガードル２５とほぼ同一である。異なるのは、１対の背面交差部材２６Ａ，２７Ａの先端部分２６Ａａ，２７Ａａ及び後端部分２６Ａｂ，２７Ａｂが、略半円形の丸みを帯びたＲ形状となっている点である。
【００８２】
これによって、先端部分２６Ａａ，２７Ａａ及び後端部分２６Ａｂ，２７ＡｂをＲ形状に沿って縫付けることによって、ミシンを止めずに一度に縫付けることができて、量産性に優れた骨盤矯正ガードル２５Ａになるとともに、縫い目のラインの意匠性にも優れ、デザイン的にも良好で見た目も優れた骨盤矯正ガードル２５Ａになる。その他の構成については、上記骨盤矯正ガードル２５とほぼ同一であることから、骨盤矯正ガードル２５と同様の作用効果が得られる。
【００８３】
次に、本発明の実施例４の第２変形例について、図１１を参照して説明する。図１１（ａ），（ｂ），（ｃ）に示されるように、実施例４の第２変形例に係る骨盤矯正ガードル２５Ｂの全体構成は、上記実施例４に係る骨盤矯正ガードル２５とほぼ同一である。異なるのは、１対の背面交差部材２６Ｂ，２７Ｂの先端部分２６Ｂａ，２７Ｂａ及び後端部分２６Ｂｂ，２７Ｂｂが、日本刀の先端のようなＲ形状となっている点である。
【００８４】
これによって、先端部分２６Ｂａ，２７Ｂａ及び後端部分２６Ｂｂ，２７ＢｂをＲ形状に沿って縫付けることによって、ミシンを止めずに一度に縫付けることができて、量産性に優れた骨盤矯正ガードル２５Ｂになるとともに、縫い目のラインの意匠性にも優れ、デザイン的にも良好で見た目も優れた骨盤矯正ガードル２５Ｂになる。特に、日本刀の先端のようなＲ形状に沿ったステッチによって、流線形のスピード感溢れるデザインとなり、消費者の購買意欲をそそるものとなる。その他の構成については、上記骨盤矯正ガードル２５とほぼ同一であることから、骨盤矯正ガードル２５と同様の作用効果が得られる。
【００８５】
このようにして、本発明の実施例４に係る骨盤矯正ガードル２５，２５Ａ，２５Ｂにおいては、ズボンやスカート等の下に、または単独で着用して歩くだけで特に意識しなくても自然と“ビーナスウォーク”をすることができ、骨盤の歪みを矯正することができるとともに、１対の背面交差部材２６，２７，２６Ａ，２７Ａ，２６Ｂ，２７Ｂがガードル本体１２に対してずれることがなく、良好な穿き心地を維持して連続的に骨盤矯正の効果を得ることができる。
【００８６】
実施例５
次に、本発明の実施例５について、図１２及び図１３を参照して説明する。図１２（ａ）は本発明の実施例５に係る骨盤矯正ガードルの全体構成を示す正面図、（ｂ）は背面斜視図、（ｃ）は背面図である。図１３（ａ）は本発明の実施例５の第１変形例に係る骨盤矯正ガードルの全体構成を示す正面図、（ｂ）は本発明の実施例５の第２変形例に係る骨盤矯正ガードルの全体構成を示す正面図、（ｃ）は本発明の実施例５の第３変形例に係る骨盤矯正ガードルの全体構成を示す正面図である。
【００８７】
図１２（ａ），（ｂ），（ｃ）に示されるように、実施例５に係る骨盤矯正ガードル３０の全体構成は、上記実施例４に係る骨盤矯正ガードル２５とほぼ同一である。異なるのは、１対の背面交差部材３１，３２の先端部分３１ａ，３２ａ及び後端部分３１ｂ，３２ｂが、いずれもガードル本体１２の裏側の前面左右部分まで伸びている点である。そして、１対の背面交差部材３１，３２は、交差する箇所２８ａ及び該交差する箇所２８ａの左右の箇所２８ｂ，２８ｃの３箇所において、ガードル本体１２の背面部分に縫付けられている。交差する箇所の縫付けステッチ２８ａは、上下方向のステッチであり、左右の箇所の縫付けステッチ２８ｂ，２８ｃは、左右方向のステッチである。また、ステッチ２８ａ，２８ｂ，２８ｃの長さは、いずれも１．５ｃｍである。
【００８８】
かかる構成によって、背面部分で交差した１枚のパワーネット及び１枚のサテンネットの二重の生地からなる１対の背面交差部材３１，３２によって骨盤が引っ張られ、ヒップが引き締められて正しい姿勢を保つことができる。したがって、骨盤矯正ガードル３０を着用して立ったり座ったりするだけでも骨盤を矯正する効果が得られ、更に着用して歩くだけで自然に良い姿勢で真っ直ぐに歩くことができ、自然に骨盤が内側へ回転して“ビーナスウォーク”をすることができ、これを何日も続けることによって骨盤の歪みが矯正されるとともに、背面交差部材３１，３２によってヒップ部分が引き上げられるため、ヒップアップの効果も得ることができる。
【００８９】
更に、１対の背面交差部材３１，３２が、交差する箇所２８ａ及びその左右の箇所２８ｂ，２８ｃの３箇所において、ガードル本体１２の背面部分に縫付けられていることから、ガードル本体１２の背面部分の伸縮性の範囲内で１対の背面交差部材３１，３２が移動可能であるとともに、１対の背面交差部材３１，３２がガードル本体１２の背面部分に対してずれることが防止されるため、歩行したり座ったり立ち上がったりする際に、一々ずれた背面交差部材３１，３２の位置を調整する必要がなく、良好な穿き心地と骨盤を矯正する効果とを維持することができる。その他の作用効果についても、上記実施例４に係る骨盤矯正ガードル２５と同様である。
【００９０】
次に、本発明の実施例５の第１変形例について、図１３（ａ）を参照して説明する。図１３（ａ）に示されるように、実施例５の第１変形例に係る骨盤矯正ガードル３０Ａの全体構成は、上記実施例５に係る骨盤矯正ガードル３０とほぼ同一である。異なるのは、１対の背面交差部材３１Ａ，３２Ａの先端部分３１Ａａ，３２Ａａ及び後端部分３１Ａｂ，３２Ａｂが、略半円形の丸みを帯びたＲ形状となっている点である。
【００９１】
これによって、先端部分３１Ａａ，３２Ａａ及び後端部分３１Ａｂ，３２ＡｂをＲ形状に沿って縫付けることによって、ミシンを止めずに一度に縫付けることができて、量産性に優れた骨盤矯正ガードル３０Ａになるとともに、縫い目のラインの意匠性にも優れ、デザイン的にも良好で見た目も優れた骨盤矯正ガードル３０Ａになる。その他の構成については、上記骨盤矯正ガードル３０とほぼ同一であることから、骨盤矯正ガードル３０と同様の作用効果が得られる。
【００９２】
次に、本発明の実施例５の第２変形例について、図１３（ｂ）を参照して説明する。図１３（ｂ）に示されるように、実施例５の第２変形例に係る骨盤矯正ガードル３０Ｂの全体構成は、上記実施例５に係る骨盤矯正ガードル３０とほぼ同一である。異なるのは、１対の背面交差部材３１Ｂ，３２Ｂの先端部分３１Ｂａ，３２Ｂａ及び後端部分３１Ｂｂ，３２Ｂｂが、日本刀の先端のようなＲ形状となっている点である。
【００９３】
これによって、先端部分３１Ｂａ，３２Ｂａ及び後端部分３１Ｂｂ，３２ＢｂをＲ形状に沿って縫付けることによって、ミシンを止めずに一度に縫付けることができて、量産性に優れた骨盤矯正ガードル３０Ｂになるとともに、縫い目のラインの意匠性にも優れ、デザイン的にも良好で見た目も優れた骨盤矯正ガードル３０Ｂになる。特に、日本刀の先端のようなＲ形状に沿ったステッチによって、流線形のスピード感溢れるデザインとなり、消費者の購買意欲をそそるものとなる。その他の構成については、上記骨盤矯正ガードル３０とほぼ同一であることから、骨盤矯正ガードル３０と同様の作用効果が得られる。
【００９４】
次に、本発明の実施例５の第３変形例について、図１３（ｃ）を参照して説明する。図１３（ｃ）に示されるように、実施例５の第３変形例に係る骨盤矯正ガードル３０Ｃの全体構成は、上記実施例５に係る骨盤矯正ガードル３０とほぼ同一である。異なるのは、ガードル本体１２が、ガードル前中心部分１２Ａにおいて二重になっており、１対の背面交差部材３１Ｃ，３１Ｃの先端部分３１Ｃａ，３２Ｃａ及び後端部分３１Ｃｂ，３２Ｃｂが、ガードル前中心部分１２Ａに接続される形で縫付けられている点である。その他の構成については、上記骨盤矯正ガードル３０とほぼ同一であることから、骨盤矯正ガードル３０と同様の作用効果が得られる。
【００９５】
このようにして、本発明の実施例５に係る骨盤矯正ガードル３０，３０Ａ，３０Ｂ，３０Ｃにおいては、ズボンやスカート等の下に、または単独で着用して歩くだけで特に意識しなくても自然と“ビーナスウォーク”をすることができ、骨盤の歪みを矯正することができるとともに、１対の背面交差部材３１，３２，３１Ａ，３２Ａ，３１Ｂ，３２Ｂ，３１Ｃ，３２Ｃがガードル本体１２に対してずれることがなく、良好な穿き心地を維持して連続的に骨盤矯正の効果を得ることができる。
【００９６】
実施例６
次に、本発明の実施例６について、図１４及び図１５を参照して説明する。図１４（ａ）は本発明の実施例６に係る骨盤矯正ガードルの全体構成を示す正面図、（ｂ）は背面斜視図、（ｃ）は背面図である。図１５（ａ）は本発明の実施例６の第１変形例に係る骨盤矯正ガードルの全体構成を示す正面図、（ｂ）は本発明の実施例６の第２変形例に係る骨盤矯正ガードルの全体構成を示す正面図、（ｃ）は本発明の実施例６の第３変形例に係る骨盤矯正ガードルの全体構成を示す正面図である。
【００９７】
図１４（ａ），（ｂ），（ｃ）に示されるように、実施例６に係る骨盤矯正ガードル３３の全体構成は、上記実施例４に係る骨盤矯正ガードル２５とほぼ同一である。異なるのは、１対の背面交差部材３４，３５の先端部分３４ａ，３５ａ及び後端部分３４ｂ，３５ｂが、いずれもガードル本体１２の前中心ＦＣまで伸びて、先端部分３４ａ，３５ａ及び後端部分３４ｂ，３５ｂ、前中心ＦＣにおいて互いに接続される形で、ガードル本体１２の裏側に縫付けられている点である。
【００９８】
このように、１対の背面交差部材３４，３５の先端部分３４ａ，３５ａ及び後端部分３４ｂ，３５ｂが、ガードル本体１２の前中心ＦＣまで伸びて、前中心ＦＣまでの全長に亘って縫付けられたことから、ヒップが引き締められる効果がより強力になるとともにより強力に骨盤が引っ張られることになり、ヒップが引き締められて正しい姿勢を保つことができる。その他の構成については、上記骨盤矯正ガードル２５とほぼ同一であることから、骨盤矯正ガードル２５と同様の作用効果が得られる。
【００９９】
次に、本発明の実施例６の第１変形例について、図１５（ａ）を参照して説明する。図１５（ａ）に示されるように、実施例６の第１変形例に係る骨盤矯正ガードル３３Ａの全体構成は、上記実施例６に係る骨盤矯正ガードル３３とほぼ同一である。異なるのは、１対の背面交差部材３４Ａ，３５Ａの先端部分３４Ａａ，３５Ａａ及び後端部分３４Ａｂ，３５Ａｂが、前中心ＦＣまでは伸びずに前中心ＦＣの近傍に留まっている点である。その他の構成については、上記骨盤矯正ガードル３３とほぼ同一であることから、骨盤矯正ガードル３３と同様の作用効果が得られる。
【０１００】
次に、本発明の実施例６の第２変形例について、図１５（ｂ）を参照して説明する。図１５（ｂ）に示されるように、実施例６の第２変形例に係る骨盤矯正ガードル３３Ｂの全体構成は、上記実施例６に係る骨盤矯正ガードル３３とほぼ同一である。異なるのは、１対の背面交差部材３４Ｂ，３５Ｂの先端部分３４Ｂａ，３５Ｂａ及び後端部分３４Ｂｂ，３５Ｂｂが、略半円形の丸みを帯びたＲ形状となっている点である。
【０１０１】
これによって、先端部分３４Ｂａ，３５Ｂａ及び後端部分３４Ｂｂ，３５ＢｂをＲ形状に沿って縫付けることによって、ミシンを止めずに一度に縫付けることができて、量産性に優れた骨盤矯正ガードル３３Ｂになるとともに、縫い目のラインの意匠性にも優れ、デザイン的にも良好で見た目も優れた骨盤矯正ガードル３３Ｂになる。その他の構成については、上記骨盤矯正ガードル３３とほぼ同一であることから、骨盤矯正ガードル３３と同様の作用効果が得られる。
【０１０２】
次に、本発明の実施例６の第３変形例について、図１５（ｃ）を参照して説明する。図１５（ｃ）に示されるように、実施例６の第３変形例に係る骨盤矯正ガードル３３Ｃの全体構成は、上記実施例６に係る骨盤矯正ガードル３３とほぼ同一である。異なるのは、１対の背面交差部材３４Ｃ，３５Ｃの先端部分３４Ｃａ，３５Ｃａ及び後端部分３４Ｃｂ，３５Ｃｂが、日本刀の先端のようなＲ形状となっている点である。
【０１０３】
これによって、先端部分３４Ｃａ，３５Ｃａ及び後端部分３４Ｃｂ，３５ＣｂをＲ形状に沿って縫付けることによって、ミシンを止めずに一度に縫付けることができて、量産性に優れた骨盤矯正ガードル３３Ｃになるとともに、縫い目のラインの意匠性にも優れ、デザイン的にも良好で見た目も優れた骨盤矯正ガードル３３Ｃになる。特に、日本刀の先端のようなＲ形状に沿ったステッチによって、流線形のスピード感溢れるデザインとなり、消費者の購買意欲をそそるものとなる。その他の構成については、上記骨盤矯正ガードル３３とほぼ同一であることから、骨盤矯正ガードル３３と同様の作用効果が得られる。
【０１０４】
このようにして、本発明の実施例６に係る骨盤矯正ガードル３３，３３Ａ，３３Ｂ，３３Ｃにおいては、ズボンやスカート等の下に、または単独で着用して歩くだけで特に意識しなくても自然と“ビーナスウォーク”をすることができ、骨盤の歪みを矯正することができるとともに、１対の背面交差部材３４，３５，３４Ａ，３５Ａ，３４Ｂ，３５Ｂ，３４Ｃ，３５Ｃがガードル本体１２に対してずれることがなく、良好な穿き心地を維持して連続的に骨盤矯正の効果を得ることができる。
【０１０５】
実施例７
次に、本発明の実施例７について、図１６乃至図１８を参照して説明する。図１６（ａ）は本発明の実施例７に係る骨盤矯正ガードルの全体構成を示す正面図、（ｂ）は背面斜視図、（ｃ）は背面図である。図１７（ａ）は本発明の実施例７の第１変形例に係る骨盤矯正ガードルの全体構成を示す正面図、（ｂ）は背面斜視図、（ｃ）は背面図である。図１８（ａ）は本発明の実施例７の第２変形例に係る骨盤矯正ガードルの全体構成を示す正面図、（ｂ）は背面斜視図、（ｃ）は背面図である。
【０１０６】
本実施例７及び以下の実施例に係る骨盤矯正ガードルは、ガードルの背面部分の股下から上がった部分に幅がガードルの背面部分の幅一杯まで届く開口部を設けて、ガードルの背面部分の股下の上部の左側から右側へ及び右側から左側へ交差して、上方及び下方へ伸びてガードルの前面両脇部分、前面左右部分、前中心近傍左右部分または前中心左右部分にその先端部分及び後端部分が縫付けられた伸縮性及び弾力性を有する生地からなる１対の背面交差部材を設けた骨盤矯正ガードルである。
【０１０７】
図１６（ａ），（ｂ），（ｃ）に示されるように、本発明の実施例７に係る骨盤矯正ガードル３６は、ガードル本体３７の後中心ＢＣを中心にして、ガードル本体３７の股下３７ｃから約８ｃｍ上がった位置に下縁を有する略長円形（本明細書においては、「長円形」とは、本来の意味の楕円形と同じ形状とは異なり、１対の半円を２本の直線でつないだ陸上競技場のトラックの如き形状を意味するものとする。）状の高さ約８ｃｍの開口部４０が設けられており、図１６（ｂ），（ｃ）に示されるように、開口部４０の両端はガードル本体３７の両脇まで達している。
【０１０８】
そして、開口部４０は裏側から伸縮性及び弾力性を有する生地であるパワーネット４１が縫い付けられることによって塞がれている。このパワーネット４１及び伸縮性を有する生地としてのサテンネットからなるガードル本体３７の表面側に、ガードル本体３７の背面部分で交差して、その先端部分３８ａ，３９ａが上方へ伸びて縫付けられ、その後端部分３８ｂ，３９ｂが下方へ伸びて縫付けられた、伸縮性及び弾力性を有する生地としての、１枚のパワーネット及び１枚のサテンネットの二重の生地からなる１対の背面交差部材３８，３９が設けられている。
【０１０９】
１対の背面交差部材３８，３９の先端部分３８ａ，３９ａ及び後端部分３８ｂ，３９ｂは、いずれもガードル本体３７の前面両脇部分まで伸びて、先端部分３８ａ，３９ａ及び後端部分３８ｂ，３９ｂが、ガードル本体３７の表側に縫付けられている。更に、１対の背面交差部材３８，３９は、交差する箇所４２ａ及び該交差する箇所４２ａの左右の箇所４２ｂ，４２ｃの３箇所において、開口部４０を塞ぐパワーネット４１に縫付けられている。交差する箇所の縫付けステッチ４２ａは、上下方向のステッチであり、左右の箇所の縫付けステッチ４２ｂ，４２ｃは、左右方向のステッチである。また、ステッチ４２ａ，４２ｂ，４２ｃの長さは、いずれも２．５ｃｍである。
【０１１０】
かかる構成によって、背面部分で交差した１枚のパワーネット及び１枚のサテンネットの二重の生地からなる１対の背面交差部材３８，３９によって骨盤が引っ張られ、ヒップが引き締められて正しい姿勢を保つことができる。したがって、骨盤矯正ガードル３６を着用して立ったり座ったりするだけでも骨盤を矯正する効果が得られ、更に着用して歩くだけで自然に良い姿勢で真っ直ぐに歩くことができ、自然に骨盤が内側へ回転して“ビーナスウォーク”をすることができ、これを何日も続けることによって骨盤の歪みが矯正されるとともに、背面交差部材３８，３９によってヒップ部分が引き上げられるため、ヒップアップの効果も得ることができる。
【０１１１】
更に、１対の背面交差部材３８，３９が、交差する箇所４２ａ及びその左右の箇所４２ｂ，４２ｃの３箇所において、ガードル本体３７の背面部分に設けられた開口部４０を塞ぐパワーネット４１に縫付けられていることから、パワーネット４１の伸縮性の範囲内で１対の背面交差部材３８，３９が移動可能であるとともに、１対の背面交差部材３８，３９がガードル本体３７の背面部分に対してずれることが防止されるため、歩行したり座ったり立ち上がったりする際に、一々ずれた背面交差部材３８，３９の位置を調整する必要がなく、良好な穿き心地と骨盤を矯正する効果とを維持することができる。
【０１１２】
また、１対の背面交差部材３８，３９が、交差する箇所においては上下方向に沿ったステッチ４２ａによって、交差する箇所の左右の箇所においては左右方向に沿ったステッチ４２ｂ，４２ｃによって縫付けられたことから、引張り力によって縫付けられた箇所の生地が破れたり、ステッチ４２ａ，４２ｂ，４２ｃがほつれたりする事態が確実に防止される。そして、１対の背面交差部材３８，３９の全ての部分がガードル本体３７の表側に取付けられ、ガードル本体３７の裏側には何も取付けられないことから、より優れた穿き心地を得ることができる。
【０１１３】
更に、１対の背面交差部材３８，３９の先端部分３８ａ，３９ａが縫付けられるガードル本体３７の前面左右部分は、左右の大転子が当接する部分の近傍であることから、左右１対の背面交差部材３８，３９による足の付け根近傍が内側へ引っ張られる効果が増大して、背面で交差した１対の背面交差部材３８，３９によって骨盤がより強力に引っ張られ、ヒップが引き締められて正しい姿勢を保つことができる。また、１対の背面交差部材３８，３９が、簡単な構成のガードル本体３７の背面部分の表側に取付けられることから、縫製が容易で製造工程が短縮されて、低コストで製造することができる骨盤矯正ガードル３６となる。
【０１１４】
次に、本発明の実施例７の第１変形例について、図１７を参照して説明する。図１７（ａ），（ｂ），（ｃ）に示されるように、実施例７の第１変形例に係る骨盤矯正ガードル３６Ａの全体構成は、上記実施例７に係る骨盤矯正ガードル３６とほぼ同一である。異なるのは、１対の背面交差部材３８Ａ，３９Ａの先端部分３８Ａａ，３９Ａａ及び後端部分３８Ａｂ，３９Ａｂが、略半円形の丸みを帯びたＲ形状となっている点である。
【０１１５】
これによって、先端部分３８Ａａ，３９Ａａ及び後端部分３８Ａｂ，３９ＡｂをＲ形状に沿って縫付けることによって、ミシンを止めずに一度に縫付けることができて、量産性に優れた骨盤矯正ガードル３６Ａになるとともに、縫い目のラインの意匠性にも優れ、デザイン的にも良好で見た目も優れた骨盤矯正ガードル３６Ａになる。その他の構成については、上記骨盤矯正ガードル３６とほぼ同一であることから、骨盤矯正ガードル３６と同様の作用効果が得られる。
【０１１６】
次に、本発明の実施例７の第２変形例について、図１８を参照して説明する。図１８（ａ），（ｂ），（ｃ）に示されるように、実施例７の第２変形例に係る骨盤矯正ガードル３６Ｂの全体構成は、上記実施例７に係る骨盤矯正ガードル３６とほぼ同一である。異なるのは、１対の背面交差部材３８Ｂ，３９Ｂの先端部分３８Ｂａ，３９Ｂａ及び後端部分３８Ｂｂ，３９Ｂｂが、日本刀の先端のようなＲ形状となっている点である。
【０１１７】
これによって、先端部分３８Ｂａ，３９Ｂａ及び後端部分３８Ｂｂ，３９ＢｂをＲ形状に沿って縫付けることによって、ミシンを止めずに一度に縫付けることができて、量産性に優れた骨盤矯正ガードル３６Ｂになるとともに、縫い目のラインの意匠性にも優れ、デザイン的にも良好で見た目も優れた骨盤矯正ガードル３６Ｂになる。特に、日本刀の先端のようなＲ形状に沿ったステッチによって、流線形のスピード感溢れるデザインとなり、消費者の購買意欲をそそるものとなる。その他の構成については、上記骨盤矯正ガードル３６とほぼ同一であることから、骨盤矯正ガードル３６と同様の作用効果が得られる。
【０１１８】
このようにして、本発明の実施例７に係る骨盤矯正ガードル３６，３６Ａ，３６Ｂにおいては、ズボンやスカート等の下に、または単独で着用して歩くだけで特に意識しなくても自然と“ビーナスウォーク”をすることができ、骨盤の歪みを矯正することができるとともに、１対の背面交差部材３８，３９，３８Ａ，３９Ａ，３８Ｂ，３９Ｂがガードル本体３７に対してずれることがなく、良好な穿き心地を維持して連続的に骨盤矯正の効果を得ることができる。
【０１１９】
実施例８
次に、本発明の実施例８について、図１９及び図２０を参照して説明する。図１９（ａ）は本発明の実施例８に係る骨盤矯正ガードルの全体構成を示す正面図、（ｂ）は背面斜視図、（ｃ）は背面図である。図２０（ａ）は本発明の実施例８の第１変形例に係る骨盤矯正ガードルの全体構成を示す正面図、（ｂ）は本発明の実施例８の第２変形例に係る骨盤矯正ガードルの全体構成を示す正面図、（ｃ）は本発明の実施例８の第３変形例に係る骨盤矯正ガードルの全体構成を示す正面図である。
【０１２０】
図１９（ａ），（ｂ），（ｃ）に示されるように、実施例８に係る骨盤矯正ガードル４３の全体構成は、上記実施例７に係る骨盤矯正ガードル３６とほぼ同一である。異なるのは、１対の背面交差部材４４，４５の先端部分４４ａ，４５ａ及び後端部分４４ｂ，４５ｂが、いずれもガードル本体３７の前面左右部分まで伸びている点である。そして、１対の背面交差部材４４，４５は、交差する箇所４６ａ及び該交差する箇所４６ａの左右の箇所４６ｂ，４６ｃの３箇所において、開口部４０を塞ぐパワーネット４１に縫付けられている。交差する箇所の縫付けステッチ４６ａは、上下方向のステッチであり、左右の箇所の縫付けステッチ４６ｂ，４６ｃは、左右方向のステッチである。また、ステッチ４６ａ，４６ｂ，４６ｃの長さは、いずれも２ｃｍである。
【０１２１】
かかる構成によって、背面部分で交差した１枚のパワーネット及び１枚のサテンネットの二重の生地からなる１対の背面交差部材４４，４５によって骨盤が引っ張られ、ヒップが引き締められて正しい姿勢を保つことができる。したがって、骨盤矯正ガードル４３を着用して立ったり座ったりするだけでも骨盤を矯正する効果が得られ、更に着用して歩くだけで自然に良い姿勢で真っ直ぐに歩くことができ、自然に骨盤が内側へ回転して“ビーナスウォーク”をすることができ、これを何日も続けることによって骨盤の歪みが矯正されるとともに、背面交差部材４４，４５によってヒップ部分が引き上げられるため、ヒップアップの効果も得ることができる。
【０１２２】
更に、１対の背面交差部材４４，４５が、交差する箇所４６ａ及びその左右の箇所４６ｂ，４６ｃの３箇所において、開口部４０を塞ぐパワーネット４１に縫付けられていることから、パワーネット４１の伸縮性の範囲内で１対の背面交差部材４４，４５が移動可能であるとともに、１対の背面交差部材４４，４５がガードル本体３７の背面部分に対してずれることが防止されるため、歩行したり座ったり立ち上がったりする際に、一々ずれた背面交差部材４４，４５の位置を調整する必要がなく、良好な穿き心地と骨盤を矯正する効果とを維持することができる。その他の作用効果についても、上記実施例７に係る骨盤矯正ガードル３６と同様である。
【０１２３】
次に、本発明の実施例８の第１変形例について、図２０（ａ）を参照して説明する。図２０（ａ）に示されるように、実施例８の第１変形例に係る骨盤矯正ガードル４３Ａの全体構成は、上記実施例８に係る骨盤矯正ガードル４３とほぼ同一である。異なるのは、１対の背面交差部材４４Ａ，４５Ａの先端部分４４Ａａ，４５Ａａ及び後端部分４４Ａｂ，４５Ａｂが、略半円形の丸みを帯びたＲ形状となっている点である。
【０１２４】
これによって、先端部分４４Ａａ，４５Ａａ及び後端部分４４Ａｂ，４５ＡｂをＲ形状に沿って縫付けることによって、ミシンを止めずに一度に縫付けることができて、量産性に優れた骨盤矯正ガードル４３Ａになるとともに、縫い目のラインの意匠性にも優れ、デザイン的にも良好で見た目も優れた骨盤矯正ガードル４３Ａになる。その他の構成については、上記骨盤矯正ガードル４３とほぼ同一であることから、骨盤矯正ガードル４３と同様の作用効果が得られる。
【０１２５】
次に、本発明の実施例８の第２変形例について、図２０（ｂ）を参照して説明する。図２０（ｂ）に示されるように、実施例８の第２変形例に係る骨盤矯正ガードル４３Ｂの全体構成は、上記実施例８に係る骨盤矯正ガードル４３とほぼ同一である。異なるのは、１対の背面交差部材４４Ｂ，４５Ｂの先端部分４４Ｂａ，４５Ｂａ及び後端部分４４Ｂｂ，４５Ｂｂが、日本刀の先端のようなＲ形状となっている点である。
【０１２６】
これによって、先端部分４４Ｂａ，４５Ｂａ及び後端部分４４Ｂｂ，４５ＢｂをＲ形状に沿って縫付けることによって、ミシンを止めずに一度に縫付けることができて、量産性に優れた骨盤矯正ガードル４３Ｂになるとともに、縫い目のラインの意匠性にも優れ、デザイン的にも良好で見た目も優れた骨盤矯正ガードル４３Ｂになる。特に、日本刀の先端のようなＲ形状に沿ったステッチによって、流線形のスピード感溢れるデザインとなり、消費者の購買意欲をそそるものとなる。その他の構成については、上記骨盤矯正ガードル４３とほぼ同一であることから、骨盤矯正ガードル４３と同様の作用効果が得られる。
【０１２７】
次に、本発明の実施例８の第３変形例について、図２０（ｃ）を参照して説明する。図２０（ｃ）に示されるように、実施例８の第３変形例に係る骨盤矯正ガードル４３Ｃの全体構成は、上記実施例８に係る骨盤矯正ガードル４３とほぼ同一である。異なるのは、ガードル本体３７が、ガードル前中心部分３７Ａにおいて二重になっており、１対の背面交差部材４４Ｃ，４５Ｃの先端部分４４Ｃａ，４５Ｃａ及び後端部分４４Ｃｂ，４５Ｃｂが、ガードル前中心部分３７Ａに接続される形で縫付けられている点である。その他の構成については、上記骨盤矯正ガードル４３とほぼ同一であることから、骨盤矯正ガードル４３０と同様の作用効果が得られる。
【０１２８】
このようにして、本発明の実施例８に係る骨盤矯正ガードル４３，４３Ａ，４３Ｂ，４３Ｃにおいては、ズボンやスカート等の下に、または単独で着用して歩くだけで特に意識しなくても自然と“ビーナスウォーク”をすることができ、骨盤の歪みを矯正することができるとともに、１対の背面交差部材４４，４５，４４Ａ，４５Ａ，４４Ｂ，４５Ｂ，４４Ｃ，４５Ｃがガードル本体３７に対してずれることがなく、良好な穿き心地を維持して連続的に骨盤矯正の効果を得ることができる。
【０１２９】
実施例９
次に、本発明の実施例９について、図２１及び図２２を参照して説明する。図２１（ａ）は本発明の実施例９に係る骨盤矯正ガードルの全体構成を示す正面図、（ｂ）は背面斜視図、（ｃ）は背面図である。図２２（ａ）は本発明の実施例９の第１変形例に係る骨盤矯正ガードルの全体構成を示す正面図、（ｂ）は本発明の実施例９の第２変形例に係る骨盤矯正ガードルの全体構成を示す正面図、（ｃ）は本発明の実施例９の第３変形例に係る骨盤矯正ガードルの全体構成を示す正面図である。
【０１３０】
図２１（ａ），（ｂ），（ｃ）に示されるように、実施例９に係る骨盤矯正ガードル４７の全体構成は、上記実施例７に係る骨盤矯正ガードル３６とほぼ同一である。異なるのは、１対の背面交差部材４８，４９の先端部分４８ａ，４９ａ及び後端部分４８ｂ，４９ｂが、いずれもガードル本体３７の前中心ＦＣまで伸びて、先端部分４８ａ，４９ａ及び後端部分４８ｂ，４９ｂが前中心ＦＣにおいて互いに接続される形で、ガードル本体３７の表側に縫付けられている点である。
【０１３１】
このように、１対の背面交差部材４８，４９の先端部分４８ａ，４９ａ及び後端部分４８ｂ，４９ｂが、ガードル本体３７の前中心ＦＣまで伸びて、前中心ＦＣまでの全長に亘って縫付けられたことから、ヒップが引き締められる効果がより強力になるとともにより強力に骨盤が引っ張られることになり、ヒップが引き締められて正しい姿勢を保つことができる。その他の構成については、上記骨盤矯正ガードル３６とほぼ同一であることから、骨盤矯正ガードル３６と同様の作用効果が得られる。
【０１３２】
次に、本発明の実施例９の第１変形例について、図２２（ａ）を参照して説明する。図２２（ａ）に示されるように、実施例９の第１変形例に係る骨盤矯正ガードル４７Ａの全体構成は、上記実施例９に係る骨盤矯正ガードル４７とほぼ同一である。異なるのは、１対の背面交差部材４８Ａ，４９Ａの先端部分４８Ａａ，４９Ａａ及び後端部分４８Ａｂ，４９Ａｂが、前中心ＦＣまでは伸びずに前中心ＦＣの近傍に留まっている点である。その他の構成については、上記骨盤矯正ガードル４７とほぼ同一であることから、骨盤矯正ガードル４７と同様の作用効果が得られる。
【０１３３】
次に、本発明の実施例９の第２変形例について、図２２（ｂ）を参照して説明する。図２２（ｂ）に示されるように、実施例９の第２変形例に係る骨盤矯正ガードル４７Ｂの全体構成は、上記実施例９に係る骨盤矯正ガードル４７とほぼ同一である。異なるのは、１対の背面交差部材４８Ｂ，４９Ｂの先端部分４８Ｂａ，４９Ｂａ及び後端部分４８Ｂｂ，４９Ｂｂが、略半円形の丸みを帯びたＲ形状となっている点である。
【０１３４】
これによって、先端部分４８Ｂａ，４９Ｂａ及び後端部分４８Ｂｂ，４９ＢｂをＲ形状に沿って縫付けることによって、ミシンを止めずに一度に縫付けることができて、量産性に優れた骨盤矯正ガードル４７Ｂになるとともに、縫い目のラインの意匠性にも優れ、デザイン的にも良好で見た目も優れた骨盤矯正ガードル４７Ｂになる。その他の構成については、上記骨盤矯正ガードル４７とほぼ同一であることから、骨盤矯正ガードル４７と同様の作用効果が得られる。
【０１３５】
次に、本発明の実施例９の第３変形例について、図２２（ｃ）を参照して説明する。図２２（ｃ）に示されるように、実施例９の第３変形例に係る骨盤矯正ガードル４７Ｃの全体構成は、上記実施例９に係る骨盤矯正ガードル４７とほぼ同一である。異なるのは、１対の背面交差部材４８Ｃ，４９Ｃの先端部分４８Ｃａ，４９Ｃａ及び後端部分４８Ｃｂ，４９Ｃｂが、日本刀の先端のようなＲ形状となっている点である。
【０１３６】
これによって、先端部分４８Ｃａ，４９Ｃａ及び後端部分４８Ｃｂ，４９ＣｂをＲ形状に沿って縫付けることによって、ミシンを止めずに一度に縫付けることができて、量産性に優れた骨盤矯正ガードル４７Ｃになるとともに、縫い目のラインの意匠性にも優れ、デザイン的にも良好で見た目も優れた骨盤矯正ガードル４７Ｃになる。特に、日本刀の先端のようなＲ形状に沿ったステッチによって、流線形のスピード感溢れるデザインとなり、消費者の購買意欲をそそるものとなる。その他の構成については、上記骨盤矯正ガードル４７とほぼ同一であることから、骨盤矯正ガードル４７と同様の作用効果が得られる。
【０１３７】
このようにして、本発明の実施例９に係る骨盤矯正ガードル４７，４７Ａ，４７Ｂ，４７Ｃにおいては、ズボンやスカート等の下に、または単独で着用して歩くだけで特に意識しなくても自然と“ビーナスウォーク”をすることができ、骨盤の歪みを矯正することができるとともに、１対の背面交差部材４８，４９，４８Ａ，４９Ａ，４８Ｂ，４９Ｂ，４８Ｃ，４９Ｃがガードル本体３７に対してずれることがなく、良好な穿き心地を維持して連続的に骨盤矯正の効果を得ることができる。
【０１３８】
実施例１０
次に、本発明の実施例１０について、図２３乃至図２５を参照して説明する。図２３（ａ）は本発明の実施例１０に係る骨盤矯正ガードルの全体構成を示す正面図、（ｂ）は背面斜視図、（ｃ）は背面図である。図２４（ａ）は本発明の実施例１０の第１変形例に係る骨盤矯正ガードルの全体構成を示す正面図、（ｂ）は背面斜視図、（ｃ）は背面図である。図２５（ａ）は本発明の実施例１０の第２変形例に係る骨盤矯正ガードルの全体構成を示す正面図、（ｂ）は背面斜視図、（ｃ）は背面図である。
【０１３９】
図２３（ａ），（ｂ），（ｃ）に示されるように、本発明の実施例１０に係る骨盤矯正ガードル５０の全体構成は、上記実施例７に係る骨盤矯正ガードル３６とほぼ同一である。異なる点は、１対の背面交差部材５１，５２の先端部分５１ａ，５２ａ及び後端部分５１ｂ，５２ｂが、開口部４０の下へ潜り込んで、ガードル本体３７の裏面側（内側）に縫付けられている点である。１対の背面交差部材５１，５２は、伸縮性及び弾力性を有する生地としての、１枚のパワーネット及び１枚のサテンネットの二重の生地からなる。
【０１４０】
１対の背面交差部材５１，５２の先端部分５１ａ，５２ａ及び後端部分５１ｂ，５２ｂは、いずれもガードル本体３７の前面両脇部分まで伸びている。更に、１対の背面交差部材５１，５２は、交差する箇所５３ａ及び該交差する箇所４２ａの左右の箇所５３ｂ，５３ｃの３箇所において、開口部４０を塞ぐパワーネット４１に縫付けられている。交差する箇所の縫付けステッチ５３ａは、上下方向のステッチであり、左右の箇所の縫付けステッチ５３ｂ，５３ｃは、左右方向のステッチである。また、ステッチ５３ａ，５３ｂ，５３ｃの長さは、いずれも２ｃｍである。
【０１４１】
かかる構成によって、背面部分で交差した１枚のパワーネット及び１枚のサテンネットの二重の生地からなる１対の背面交差部材５１，５２によって骨盤が引っ張られ、ヒップが引き締められて正しい姿勢を保つことができる。したがって、骨盤矯正ガードル５０を着用して立ったり座ったりするだけでも骨盤を矯正する効果が得られ、更に着用して歩くだけで自然に良い姿勢で真っ直ぐに歩くことができ、自然に骨盤が内側へ回転して“ビーナスウォーク”をすることができ、これを何日も続けることによって骨盤の歪みが矯正されるとともに、背面交差部材５１，５２によってヒップ部分が引き上げられるため、ヒップアップの効果も得ることができる。
【０１４２】
更に、１対の背面交差部材５１，５２が、交差する箇所５３ａ及びその左右の箇所５３ｂ，５３ｃの３箇所において、ガードル本体３７の背面部分に設けられた開口部４０を塞ぐパワーネット４１に縫付けられていることから、パワーネット４１の伸縮性の範囲内で１対の背面交差部材５１，５２が移動可能であるとともに、１対の背面交差部材５１，５２がガードル本体３７の背面部分に対してずれることが防止されるため、歩行したり座ったり立ち上がったりする際に、一々ずれた背面交差部材５１，５２の位置を調整する必要がなく、良好な穿き心地と骨盤を矯正する効果とを維持することができる。
【０１４３】
また、１対の背面交差部材５１，５２が、交差する箇所においては上下方向に沿ったステッチ５３ａによって、交差する箇所の左右の箇所においては左右方向に沿ったステッチ５３ｂ，５３ｃによって縫付けられたことから、引張り力によって縫付けられた箇所の生地が破れたり、ステッチ５３ａ，５３ｂ，５３ｃがほつれたりする事態が確実に防止される。そして、１対の背面交差部材５１，５２の先端部分５１ａ，５２ａ及び後端部分５１ｂ，５２ｂがガードル本体３７の裏側に取付けられて隠されることから、より優れた穿き心地と見た目のすっきりした感じを両立することができる。
【０１４４】
更に、１対の背面交差部材５１，５２の先端部分５１ａ，５２ａが縫付けられるガードル本体３７の前面左右部分は、左右の大転子が当接する部分の近傍であることから、左右１対の背面交差部材５１，５２による足の付け根近傍が内側へ引っ張られる効果が増大して、背面で交差した１対の背面交差部材５１，５２によって骨盤がより強力に引っ張られ、ヒップが引き締められて正しい姿勢を保つことができる。また、１対の背面交差部材５１，５２が簡単な構成のガードル本体３７に取付けられることから、縫製が容易で製造工程が短縮されて、低コストで製造できる骨盤矯正ガードル５０となる。
【０１４５】
次に、本発明の実施例１０の第１変形例について、図２４を参照して説明する。図２４（ａ），（ｂ），（ｃ）に示されるように、実施例１０の第１変形例に係る骨盤矯正ガードル５０Ａの全体構成は、上記実施例１０に係る骨盤矯正ガードル５０とほぼ同一である。異なるのは、１対の背面交差部材５１Ａ，５２Ａの先端部分５１Ａａ，５２Ａａ及び後端部分５１Ａｂ，５２Ａｂが、略半円形の丸みを帯びたＲ形状となっている点である。
【０１４６】
これによって、先端部分５１Ａａ，５２Ａａ及び後端部分５１Ａｂ，５２ＡｂをＲ形状に沿って縫付けることによって、ミシンを止めずに一度に縫付けることができて、量産性に優れた骨盤矯正ガードル５０Ａになるとともに、縫い目のラインの意匠性にも優れ、デザイン的にも良好で見た目も優れた骨盤矯正ガードル５０Ａになる。その他の構成については、上記骨盤矯正ガードル５０とほぼ同一であることから、骨盤矯正ガードル５０と同様の作用効果が得られる。
【０１４７】
次に、本発明の実施例１０の第２変形例について、図２５を参照して説明する。図２５（ａ），（ｂ），（ｃ）に示されるように、実施例１０の第２変形例に係る骨盤矯正ガードル５０Ｂの全体構成は、上記実施例１０に係る骨盤矯正ガードル５０とほぼ同一である。異なるのは、１対の背面交差部材５１Ｂ，５２Ｂの先端部分５１Ｂａ，５２Ｂａ及び後端部分５１Ｂｂ，５２Ｂｂが、日本刀の先端のようなＲ形状となっている点である。
【０１４８】
これによって、先端部分５１Ｂａ，５２Ｂａ及び後端部分５１Ｂｂ，５２ＢｂをＲ形状に沿って縫付けることによって、ミシンを止めずに一度に縫付けることができて、量産性に優れた骨盤矯正ガードル５０Ｂになるとともに、縫い目のラインの意匠性にも優れ、デザイン的にも良好で見た目も優れた骨盤矯正ガードル５０Ｂになる。特に、日本刀の先端のようなＲ形状に沿ったステッチによって、流線形のスピード感溢れるデザインとなり、消費者の購買意欲をそそるものとなる。その他の構成については、上記骨盤矯正ガードル３６とほぼ同一であることから、骨盤矯正ガードル５０と同様の作用効果が得られる。
【０１４９】
このようにして、本発明の実施例１０に係る骨盤矯正ガードル５０，５０Ａ，５０Ｂにおいては、ズボンやスカート等の下に、または単独で着用して歩くだけで特に意識しなくても自然と“ビーナスウォーク”をすることができ、骨盤の歪みを矯正することができるとともに、１対の背面交差部材５１，５２，５１Ａ，５２Ａ，５１Ｂ，５２Ｂがガードル本体３７に対してずれることがなく、良好な穿き心地を維持して連続的に骨盤矯正の効果を得ることができる。
【０１５０】
実施例１１
次に、本発明の実施例１１について、図２６及び図２７を参照して説明する。図２６（ａ）は本発明の実施例１１に係る骨盤矯正ガードルの全体構成を示す正面図、（ｂ）は背面斜視図、（ｃ）は背面図である。図２７（ａ）は本発明の実施例１１の第１変形例に係る骨盤矯正ガードルの全体構成を示す正面図、（ｂ）は本発明の実施例１１の第２変形例に係る骨盤矯正ガードルの全体構成を示す正面図、（ｃ）は本発明の実施例１１の第３変形例に係る骨盤矯正ガードルの全体構成を示す正面図である。
【０１５１】
図２６（ａ），（ｂ），（ｃ）に示されるように、実施例１１に係る骨盤矯正ガードル５５の全体構成は、上記実施例１０に係る骨盤矯正ガードル５０とほぼ同一である。異なるのは、１対の背面交差部材５６，５７の先端部分５６ａ，５７ａ及び後端部分５６ｂ，５７ｂが、いずれもガードル本体３７の前面左右部分まで伸びている点である。そして、１対の背面交差部材５６，５７は、交差する箇所５３ａ及び該交差する箇所５３ａの左右の箇所５３ｂ，５３ｃの３箇所において、開口部４０を塞ぐパワーネット４１に縫付けられている。交差する箇所の縫付けステッチ５３ａは、上下方向のステッチであり、左右の箇所の縫付けステッチ５３ｂ，５３ｃは、左右方向のステッチである。また、ステッチ５３ａ，５３ｂ，５３ｃの長さは、いずれも２ｃｍである。
【０１５２】
かかる構成によって、背面部分で交差した１枚のパワーネット及び１枚のサテンネットの二重の生地からなる１対の背面交差部材５６，５７によって骨盤が引っ張られ、ヒップが引き締められて正しい姿勢を保つことができる。したがって、骨盤矯正ガードル５５を着用して立ったり座ったりするだけでも骨盤を矯正する効果が得られ、更に着用して歩くだけで自然に良い姿勢で真っ直ぐに歩くことができ、自然に骨盤が内側へ回転して“ビーナスウォーク”をすることができ、これを何日も続けることによって骨盤の歪みが矯正されるとともに、背面交差部材５６，５７によってヒップ部分が引き上げられるため、ヒップアップの効果も得ることができる。
【０１５３】
更に、１対の背面交差部材５６，５７が、交差する箇所５３ａ及びその左右の箇所５３ｂ，５３ｃの３箇所において、開口部４０を塞ぐパワーネット４１に縫付けられていることから、パワーネット４１の伸縮性の範囲内で１対の背面交差部材５６，５７が移動可能であるとともに、１対の背面交差部材５６，５７がガードル本体３７の背面部分に対してずれることが防止されるため、歩行したり座ったり立ち上がったりする際に、一々ずれた背面交差部材５６，５７の位置を調整する必要がなく、良好な穿き心地と骨盤を矯正する効果とを維持することができる。その他の作用効果についても、上記実施例１０に係る骨盤矯正ガードル５０と同様である。
【０１５４】
次に、本発明の実施例１１の第１変形例について、図２７（ａ）を参照して説明する。図２７（ａ）に示されるように、実施例１１の第１変形例に係る骨盤矯正ガードル５５Ａの全体構成は、上記実施例１１に係る骨盤矯正ガードル５５とほぼ同一である。異なるのは、１対の背面交差部材５６Ａ，５７Ａの先端部分５６Ａａ，５７Ａａ及び後端部分５６Ａｂ，５７Ａｂが、略半円形の丸みを帯びたＲ形状となっている点である。
【０１５５】
これによって、先端部分５６Ａａ，５７Ａａ及び後端部分５６Ａｂ，５７ＡｂをＲ形状に沿って縫付けることによって、ミシンを止めずに一度に縫付けることができて、量産性に優れた骨盤矯正ガードル５５Ａになるとともに、縫い目のラインの意匠性にも優れ、デザイン的にも良好で見た目も優れた骨盤矯正ガードル５５Ａになる。その他の構成については、上記骨盤矯正ガードル５５とほぼ同一であることから、骨盤矯正ガードル５５と同様の作用効果が得られる。
【０１５６】
次に、本発明の実施例１１の第２変形例について、図２７（ｂ）を参照して説明する。図２７（ｂ）に示されるように、実施例１１の第２変形例に係る骨盤矯正ガードル５５Ｂの全体構成は、上記実施例１１に係る骨盤矯正ガードル５５とほぼ同一である。異なるのは、１対の背面交差部材５６Ｂ，５７Ｂの先端部分５６Ｂａ，５７Ｂａ及び後端部分５６Ｂｂ，５７Ｂｂが、日本刀の先端のようなＲ形状となっている点である。
【０１５７】
これによって、先端部分５６Ｂａ，５７Ｂａ及び後端部分５６Ｂｂ，５７ＢｂをＲ形状に沿って縫付けることによって、ミシンを止めずに一度に縫付けることができて、量産性に優れた骨盤矯正ガードル５５Ｂになるとともに、縫い目のラインの意匠性にも優れ、デザイン的にも良好で見た目も優れた骨盤矯正ガードル５５Ｂになる。特に、日本刀の先端のようなＲ形状に沿ったステッチによって、流線形のスピード感溢れるデザインとなり、消費者の購買意欲をそそるものとなる。その他の構成については、上記骨盤矯正ガードル５５とほぼ同一であることから、骨盤矯正ガードル５５と同様の作用効果が得られる。
【０１５８】
次に、本発明の実施例１１の第３変形例について、図２７（ｃ）を参照して説明する。図２７（ｃ）に示されるように、実施例１１の第３変形例に係る骨盤矯正ガードル５５Ｃの全体構成は、上記実施例１１に係る骨盤矯正ガードル５５とほぼ同一である。異なるのは、ガードル本体３７が、ガードル前中心部分３７Ａにおいて二重になっており、１対の背面交差部材５６Ｃ，５７Ｃの先端部分５６Ｃａ，５７Ｃａ及び後端部分５６Ｃｂ，５７Ｃｂが、ガードル前中心部分３７Ａに接続される形で縫付けられている点である。その他の構成については、上記骨盤矯正ガードル５５とほぼ同一であることから、骨盤矯正ガードル５５と同様の作用効果が得られる。
【０１５９】
このようにして、本発明の実施例１１に係る骨盤矯正ガードル５５，５５Ａ，５５Ｂ，５５Ｃにおいては、ズボンやスカート等の下に、または単独で着用して歩くだけで特に意識しなくても自然と“ビーナスウォーク”をすることができ、骨盤の歪みを矯正することができるとともに、１対の背面交差部材５６，５７，５６Ａ，５７Ａ，５６Ｂ，５７Ｂ，５６Ｃ，５７Ｃがガードル本体３７に対してずれることがなく、良好な穿き心地を維持して連続的に骨盤矯正の効果を得ることができる。
【０１６０】
実施例１２
次に、本発明の実施例１２について、図２８及び図２９を参照して説明する。図２８（ａ）は本発明の実施例１２に係る骨盤矯正ガードルの全体構成を示す正面図、（ｂ）は背面斜視図、（ｃ）は背面図である。図２９（ａ）は本発明の実施例１２の第１変形例に係る骨盤矯正ガードルの全体構成を示す正面図、（ｂ）は本発明の実施例１２の第２変形例に係る骨盤矯正ガードルの全体構成を示す正面図、（ｃ）は本発明の実施例１２の第３変形例に係る骨盤矯正ガードルの全体構成を示す正面図である。
【０１６１】
図２８（ａ），（ｂ），（ｃ）に示されるように、実施例１２に係る骨盤矯正ガードル５８の全体構成は、上記実施例１０に係る骨盤矯正ガードル５０とほぼ同一である。異なるのは、１対の背面交差部材５９，６０の先端部分５９ａ，６０ａ及び後端部分５９ｂ，６０ｂが、いずれもガードル本体３７の裏側の前中心ＦＣまで伸びて、先端部分５９ａ，６０ａ及び後端部分５９ｂ，６０ｂが前中心ＦＣにおいて互いに接続される形で、ガードル本体３７の裏側（内側）に縫付けられている点である。
【０１６２】
このように、１対の背面交差部材５９，６０の先端部分５９ａ，６０ａ及び後端部分５９ｂ，６０ｂが、ガードル本体３７の前中心ＦＣまで伸びて、前中心ＦＣまでの全長に亘って縫付けられたことから、ヒップが引き締められる効果がより強力になるとともにより強力に骨盤が引っ張られることになり、ヒップが引き締められて正しい姿勢を保つことができる。その他の構成については、上記骨盤矯正ガードル５０とほぼ同一であることから、骨盤矯正ガードル５０と同様の作用効果が得られる。
【０１６３】
次に、本発明の実施例１２の第１変形例について、図２９（ａ）を参照して説明する。図２９（ａ）に示されるように、実施例１２の第１変形例に係る骨盤矯正ガードル５８Ａの全体構成は、上記実施例１２に係る骨盤矯正ガードル５８とほぼ同一である。異なるのは、１対の背面交差部材５９Ａ，６０Ａの先端部分５９Ａａ，６０Ａａ及び後端部分５９Ａｂ，６０Ａｂが、前中心ＦＣまでは伸びずに前中心ＦＣの近傍に留まっている点である。その他の構成については、上記骨盤矯正ガードル５８とほぼ同一であることから、骨盤矯正ガードル５８と同様の作用効果が得られる。
【０１６４】
次に、本発明の実施例１２の第２変形例について、図２９（ｂ）を参照して説明する。図２９（ｂ）に示されるように、実施例１２の第２変形例に係る骨盤矯正ガードル５８Ｂの全体構成は、上記実施例１２に係る骨盤矯正ガードル５８とほぼ同一である。異なるのは、１対の背面交差部材５９Ｂ，６０Ｂの先端部分５９Ｂａ，６０Ｂａ及び後端部分５９Ｂｂ，６０Ｂｂが、略半円形の丸みを帯びたＲ形状となっている点である。
【０１６５】
これによって、先端部分５９Ｂａ，６０Ｂａ及び後端部分５９Ｂｂ，６０ＢｂをＲ形状に沿って縫付けることによって、ミシンを止めずに一度に縫付けることができて、量産性に優れた骨盤矯正ガードル５８Ｂになるとともに、縫い目のラインの意匠性にも優れ、デザイン的にも良好で見た目も優れた骨盤矯正ガードル５８Ｂになる。その他の構成については、上記骨盤矯正ガードル５８とほぼ同一であることから、骨盤矯正ガードル５８と同様の作用効果が得られる。
【０１６６】
次に、本発明の実施例１２の第３変形例について、図２９（ｃ）を参照して説明する。図２９（ｃ）に示されるように、実施例１２の第３変形例に係る骨盤矯正ガードル５８Ｃの全体構成は、上記実施例１２に係る骨盤矯正ガードル５８とほぼ同一である。異なるのは、１対の背面交差部材５９Ｃ，６０Ｃの先端部分５９Ｃａ，６０Ｃａ及び後端部分５９Ｃｂ，６０Ｃｂが、日本刀の先端のようなＲ形状となっている点である。
【０１６７】
これによって、先端部分５９Ｃａ，６０Ｃａ及び後端部分５９Ｃｂ，６０ＣｂをＲ形状に沿って縫付けることによって、ミシンを止めずに一度に縫付けることができて、量産性に優れた骨盤矯正ガードル５８Ｃになるとともに、縫い目のラインの意匠性にも優れ、デザイン的にも良好で見た目も優れた骨盤矯正ガードル５８Ｃになる。特に、日本刀の先端のようなＲ形状に沿ったステッチによって、流線形のスピード感溢れるデザインとなり、消費者の購買意欲をそそるものとなる。その他の構成については、上記骨盤矯正ガードル５８とほぼ同一であることから、骨盤矯正ガードル５８と同様の作用効果が得られる。
【０１６８】
このようにして、本発明の実施例１２に係る骨盤矯正ガードル５８，５８Ａ，５８Ｂ，５８Ｃにおいては、ズボンやスカート等の下に、または単独で着用して歩くだけで特に意識しなくても自然と“ビーナスウォーク”をすることができ、骨盤の歪みを矯正することができるとともに、１対の背面交差部材５９，６０，５９Ａ，６０Ａ，５９Ｂ，６０Ｂ，５９Ｃ，６０Ｃがガードル本体３７に対してずれることがなく、良好な穿き心地を維持して連続的に骨盤矯正の効果を得ることができる。
【０１６９】
実施例１３
次に、本発明の実施例１３について、図３０を参照して説明する。図３０（ａ）は本発明の実施例１３に係る骨盤矯正ガードルの全体構成を示す背面斜視図、（ｂ）は本発明の実施例１３の第１変形例に係る骨盤矯正ガードルの全体構成を示す背面斜視図、（ｃ）は本発明の実施例１３の第２変形例に係る骨盤矯正ガードルの全体構成を示す背面斜視図、（ｃ）は本発明の実施例１３の第３変形例に係る骨盤矯正ガードルの全体構成を示す背面斜視図である。
【０１７０】
図３０（ａ）に示されるように、本実施例１３に係る骨盤矯正ガードル６１は、図４（ｂ）に示される実施例１の第２変形例に係る骨盤矯正ガードル１１Ｂにおいて、縫付けステッチ６２ａ，６２ｂ，６２ｃを、交差する箇所６２ａのみならず、左右の箇所６２ｂ，６２ｃにおいても、上下方向に沿ったステッチとしたものである。同様に、図３０（ｂ）に示されるように、本実施例１３の第１変形例に係る骨盤矯正ガードル６１Ａは、図１１（ｂ）に示される実施例４の第２変形例に係る骨盤矯正ガードル２５Ｂにおいて、縫付けステッチ６２ａ，６２ｂ，６２ｃを、交差する箇所６２ａのみならず、左右の箇所６２ｂ，６２ｃにおいても、上下方向に沿ったステッチとしたものである。
【０１７１】
また、図３０（ｃ）に示されるように、本実施例１３の第２変形例に係る骨盤矯正ガードル６１Ｂは、図１８（ｂ）に示される実施例７の第２変形例に係る骨盤矯正ガードル３６Ｂにおいて、縫付けステッチ６２ａ，６２ｂ，６２ｃを、交差する箇所６２ａのみならず、左右の箇所６２ｂ，６２ｃにおいても、上下方向に沿ったステッチとしたものである。更に、図３０（ｄ）に示されるように、本実施例１３の第３変形例に係る骨盤矯正ガードル６１Ｃは、図２５（ｂ）に示される実施例１１の第２変形例に係る骨盤矯正ガードル５０Ｂにおいて、縫付けステッチ６２ａ，６２ｂ，６２ｃを、交差する箇所６２ａのみならず、左右の箇所６２ｂ，６２ｃにおいても、上下方向に沿ったステッチとしたものである。
【０１７２】
このように、上記各実施の形態に係る骨盤矯正ガードルにおいては、背面交差部材がガードル本体に対してずれないように縫付ける縫付けステッチを、交差する箇所のみならず左右の箇所においても、上下方向に沿ったステッチとすることができる。また、逆に縫付けステッチを左右の箇所のみならず交差する箇所においても、左右方向に沿ったステッチとすることもできる。
【０１７３】
上記各実施例においては、ガードル本体１２，３７のウエスト上端を腰回りの通常のウエスト位置とした例について説明したが、ガードル本体１２，３７のウエスト上端を腰回りより上方にまで長く伸ばしても良い。このようなハイウエストタイプの骨盤矯正ガードルは、着用して真っ直ぐに歩くだけで自然に“ビーナスウォーク”をすることができ、骨盤の歪みを矯正できるだけでなく、腰回りが締め付けられてウエストラインが美しく見えるとともに、寒い時期でも暖かいという作用効果が得られる。
【０１７４】
また、逆にガードル本体１２，３７のウエスト上端を腰回りより下方に短く設定することもできる。このようなローウエストタイプの骨盤矯正ガードルは、着用して真っ直ぐに歩くだけで自然に“ビーナスウォーク”をすることができ、骨盤の歪みを矯正できるだけでなく、若い人を中心に流行しているローライズジーンズ等の腰回りが低いボトムスの下にも着用することができるとともに、交差部分によって足の付け根近傍を内側へ引っ張る効果が最も大きいという特長がある。
【０１７５】
また、上記各実施例においては、「伸縮性を有する生地」としてサテンネットを用い、「伸縮性及び弾力性を有する生地」としてサテンネット及びパワーネットを用いた場合について説明したが、「伸縮性を有する生地」としてはサテンネット以外にもパワーネット、スパンレックスを始めとする他の生地を用いることもできるし、「伸縮性及び弾力性を有する生地」としてはサテンネット及びパワーネット以外にも、他の生地を用いることもできる。即ち、両方の生地としてサテンネットのみを用いても良いし、パワーネットのみを用いることもできる。
【０１７６】
骨盤矯正ガードルのその他の部分の構造、形状、数量、材質、大きさ（幅・長さ・厚さ等）、接続関係等についても、上記各実施例に限定されるものではない。
【符号の説明】
【０１７７】
１  骨盤
１０ａ  大転子
１１，１１Ａ，１１Ｂ，１６，１６Ａ，１６Ｂ，１６Ｃ，２０，２０Ａ，２０Ｂ，２０Ｃ，２５，２５Ａ，２５Ｂ，３０，３０Ａ，３０Ｂ，３０Ｃ，３３，３３Ａ，３３Ｂ，３３Ｃ，３６，３６Ａ，３６Ｂ，４３，４３Ａ，４３Ｂ，４３Ｃ，４７，４７Ａ，４７Ｂ，４７Ｃ，５０，５０Ａ，５０Ｂ，５５，５５Ａ，５５Ｂ，５５Ｃ，５８，５８Ａ，５８Ｂ，５８Ｃ，６１，６１Ａ，６１Ｂ，６１Ｃ  骨盤矯正ガードル
１２，３７  ガードル本体
１３，１４，１３Ａ，１４Ａ，１３Ｂ，１４Ｂ，１７，１８，１７Ａ，１８Ａ，１７Ｂ，１８Ｂ，１７Ｃ，１８Ｃ，２１，２２，２１Ａ，２２Ａ，２１Ｂ，２２Ｂ，２１Ｃ，２２Ｃ，２６，２７，２６Ａ，２７Ａ，２６Ｂ，２７Ｂ，３１，３２，３１Ａ，３２Ａ，３１Ｂ，３２Ｂ，３１Ｃ，３２Ｃ，３４，３５，３４Ａ，３５Ａ，３４Ｂ，３５Ｂ，３４Ｃ，３５Ｃ，３８，３９，３８Ａ，３９Ａ，３８Ｂ，３９Ｂ，４４，４５，４４Ａ，４５Ａ，４４Ｂ，４５Ｂ，４４Ｃ，４５Ｃ，４８，４９，４８Ａ，４９Ａ，４８Ｂ，４９Ｂ，４８Ｃ，４９Ｃ，５１，５２，５１Ａ，５２Ａ，５１Ｂ，５２Ｂ，５６，５７，５６Ａ，５７Ａ，５６Ｂ，５７Ｂ，５６Ｃ，５７Ｃ，５９，６０，５９Ａ，６０Ａ，５９Ｂ，６０Ｂ，５９Ｃ，６０Ｃ  背面交差部材
１３ａ，１４ａ，１３Ａａ，１４Ａａ，１３Ｂａ，１４Ｂａ，１７ａ，１８ａ，１７Ａａ，１８Ａａ，１７Ｂａ，１８Ｂａ，１７Ｃａ，１８Ｃａ，２１ａ，２２ａ，２１Ａａ，２２Ａａ，２１Ｂａ，２２Ｂａ，２１Ｃａ，２２Ｃａ，２６ａ，２７ａ，２６Ａａ，２７Ａａ，２６Ｂａ，２７Ｂａ，３１ａ，３２ａ，３１Ａａ，３２Ａａ，３１Ｂａ，３２Ｂａ，３１Ｃａ，３２Ｃａ，３４ａ，３５ａ，３４Ａａ，３５Ａａ，３４Ｂａ，３５Ｂａ，３４Ｃａ，３５Ｃａ，３８ａ，３９ａ，３８Ａａ，３９Ａａ，３８Ｂａ，３９Ｂａ，４４ａ，４５ａ，４４Ａａ，４５Ａａ，４４Ｂａ，４５Ｂａ，４４Ｃａ，４５Ｃａ，４８ａ，４９ａ，４８Ａａ，４９Ａａ，４８Ｂａ，４９Ｂａ，４８Ｃａ，４９Ｃａ，５１ａ，５２ａ，５１Ａａ，５２Ａａ，５１Ｂａ，５２Ｂａ，５６ａ，５７ａ，５６Ａａ，５７Ａａ，５６Ｂａ，５７Ｂａ，５６Ｃａ，５７Ｃａ，５９ａ，６０ａ，５９Ａａ，６０Ａａ，５９Ｂａ，６０Ｂａ，５９Ｃａ，６０Ｃａ  先端部分
１３ｂ，１４ｂ，１３Ａｂ，１４Ａｂ，１３Ｂｂ，１４Ｂｂ，１７ｂ，１８ｂ，１７Ａｂ，１８Ａｂ，１７Ｂｂ，１８Ｂｂ，１７Ｃｂ，１８Ｃｂ，２１ｂ，２２ｂ，２１Ａｂ，２２Ａｂ，２１Ｂｂ，２２Ｂｂ，２１Ｃｂ，２２Ｃｂ，２６ｂ，２７ｂ，２６Ａｂ，２７Ａｂ，２６Ｂｂ，２７Ｂｂ，３１ｂ，３２ｂ，３１Ａｂ，３２Ａｂ，３１Ｂｂ，３２Ｂｂ，３１Ｃｂ，３２Ｃｂ，３４ｂ，３５ｂ，３４Ａｂ，３５Ａｂ，３４Ｂｂ，３５Ｂｂ，３４Ｃｂ，３５Ｃｂ，３８ｂ，３９ｂ，３８Ａｂ，３９Ａｂ，３８Ｂｂ，３９Ｂｂ，４４ｂ，４５ｂ，４４Ａｂ，４５Ａｂ，４４Ｂｂ，４５Ｂｂ，４４Ｃｂ，４５Ｃｂ，４８ｂ，４９ｂ，４８Ａｂ，４９Ａｂ，４８Ｂｂ，４９Ｂｂ，４８Ｃｂ，４９Ｃｂ，５１ｂ，５２ｂ，５１Ａｂ，５２Ａｂ，５１Ｂｂ，５２Ｂｂ，５６ｂ，５７ｂ，５６Ａｂ，５７Ａｂ，５６Ｂｂ，５７Ｂｂ，５６Ｃｂ，５７Ｃｂ，５９ｂ，６０ｂ，５９Ａｂ，６０Ａｂ，５９Ｂｂ，６０Ｂｂ，５９Ｃｂ，６０Ｃｂ    後端部分
１５ａ，１５ｂ，１５ｃ，２８ａ，２８ｂ，２８ｃ，４２ａ，４２ｂ，４２ｃ，５３ａ，５３ｂ，５３ｃ，６２ａ，６２ｂ，６２ｃ  縫付けステッチ
４０  開口部
【図１】
2011038194.tif 000003
【図２】
2011038194.tif 000004
【図３】
2011038194.tif 000005
【図４】
2011038194.tif 000006
【図５】
2011038194.tif 000007
【図６】
2011038194.tif 000008
【図７】
2011038194.tif 000009
【図８】
2011038194.tif 000010
【図９】
2011038194.tif 000011
【図１０】
2011038194.tif 000012
【図１１】
2011038194.tif 000013
【図１２】
2011038194.tif 000014
【図１３】
2011038194.tif 000015
【図１４】
2011038194.tif 000016
【図１５】
2011038194.tif 000017
【図１６】
2011038194.tif 000018
【図１７】
2011038194.tif 000019
【図１８】
2011038194.tif 000020
【図１９】
2011038194.tif 000021
【図２０】
2011038194.tif 000022
【図２１】
2011038194.tif 000023
【図２２】
2011038194.tif 000024
【図２３】
2011038194.tif 000025
【図２４】
2011038194.tif 000026
【図２５】
2011038194.tif 000027
【図２６】
2011038194.tif 000028
【図２７】
2011038194.tif 000029
【図２８】
2011038194.tif 000030
【図２９】
2011038194.tif 000031
【図３０】
2011038194.tif 000032